(57)【特許請求の範囲】
【請求項１】
遊技場の島設備に固定される外枠と、左右方向の一方の側部を開閉基端側として当該外枠に開閉可能に支持された遊技機本体と、を備え、遊技を行う上で使用された遊技媒体を前記島設備に排出する遊技機において、
前記外枠の下枠部よりも上方であって前記遊技機本体よりも下方の範囲に一部が入り込むようにして設けられた特定ユニットと、
前記遊技機本体に設けられ、前記島設備への遊技媒体の排出通路部における上流側を構成する本体側排出通路部と、
前記特定ユニットに設けられ、前記遊技機本体の閉鎖状態において前記本体側排出通路部と連通し、前記排出通路部の下流側を構成する外枠側排出通路部と、
前記外枠及び前記特定ユニットのうち一方に設けられた軸部と、
前記外枠及び前記特定ユニットのうち他方に設けられた軸受け部と、
を備え、
前記外枠側排出通路部は前記下枠部の下端面よりも下方の位置にて遊技媒体の排出を行うことが可能なように形成されており、
前記本体側排出通路部と前記外枠側排出通路部との連通箇所は、前記開閉基端側に設けられており、
前記特定ユニットは、前記遊技機本体の開放に際して前記外枠側に待機可能であって、前記軸部及び前記軸受け部により、遊技機前方に開放させることができるように前記外枠に開閉可能に支持されており、
当該遊技機は、
前記軸受け部からの前記軸部の離脱を阻止し、その阻止の解除が可能である離脱阻止手段と、
閉鎖状態にある前記特定ユニットの開放を阻止し、その阻止の解除が可能である開放阻止手段と、
を備えていることを特徴とする遊技機。
【発明の詳細な説明】
【技術分野】
【０００１】
本発明は、パチンコ機等の遊技機に関するものである。
【背景技術】
【０００２】
遊技機の一種であるパチンコ機は、遊技場への設置に際して島設備に固定される外枠と、当該外枠に対して開閉可能に支持された遊技機本体とを備えている。遊技機本体には遊技盤が搭載されており、当該遊技盤の遊技領域における遊技球の流下態様等を視認することにより遊技が行われる。また、例えば外枠の下枠部と遊技機本体との間には、遊技場の設置台に対する遊技機本体の底面の高さ位置を所定のものとする等のために、前面が幕板により塞がれた幕板領域等が設けられている（例えば、特許文献１参照）。
【先行技術文献】
【特許文献】
【０００３】
【特許文献１】特開２００４−４９３１５号公報
【発明の概要】
【発明が解決しようとする課題】
【０００４】
ここで、遊技機を構成する部品のメンテナンスを好適に行うことが可能な構成が求められており、この点について未だ改良の余地がある。
【０００５】
本発明は、上記例示した事情等に鑑みてなされたものであり、遊技機を構成する部品のメンテナンスを好適に行うことが可能な遊技機を提供することを目的とするものである。
【課題を解決するための手段】
【０００６】
上記課題を解決すべく請求項１記載の発明は、遊技場の島設備に固定される外枠と、左右方向の一方の側部を開閉基端側として当該外枠に開閉可能に支持された遊技機本体と、を備え、遊技を行う上で使用された遊技媒体を前記島設備に排出する遊技機において、
前記外枠の下枠部よりも上方であって前記遊技機本体よりも下方の範囲に一部が入り込むようにして設けられた特定ユニットと、
前記遊技機本体に設けられ、前記島設備への遊技媒体の排出通路部における上流側を構成する本体側排出通路部と、
前記特定ユニットに設けられ、前記遊技機本体の閉鎖状態において前記本体側排出通路部と連通し、前記排出通路部の下流側を構成する外枠側排出通路部と、
前記外枠及び前記特定ユニットのうち一方に設けられた軸部と、
前記外枠及び前記特定ユニットのうち他方に設けられた軸受け部と、
を備え、
前記外枠側排出通路部は前記下枠部の下端面よりも下方の位置にて遊技媒体の排出を行うことが可能なように形成されており、
前記本体側排出通路部と前記外枠側排出通路部との連通箇所は、前記開閉基端側に設けられており、
前記特定ユニットは、前記遊技機本体の開放に際して前記外枠側に待機可能であって、前記軸部及び前記軸受け部により、遊技機前方に開放させることができるように前記外枠に開閉可能に支持されており、
当該遊技機は、
前記軸受け部からの前記軸部の離脱を阻止し、その阻止の解除が可能である離脱阻止手段と、
閉鎖状態にある前記特定ユニットの開放を阻止し、その阻止の解除が可能である開放阻止手段と、
を備えていることを特徴とする。
【発明の効果】
【０００７】
本発明によれば、遊技機を構成する部品のメンテナンスを好適に行うことが可能となる。
【図面の簡単な説明】
【０００８】
【図１】第１の実施の形態におけるパチンコ機の構成を示す前方から見た斜視図。
【図２】パチンコ機の構成を示す後方から見た斜視図。
【図３】パチンコ機の主要な構成を分解して示す分解斜視図。
【図４】内枠の構成を示す正面図。
【図５】遊技盤の構成を示す正面図。
【図６】内枠の構成を示す背面図。
【図７】裏パックユニットの構成を示す正面図。
【図８】外枠及び幕板ユニットの構成を示す斜視図。
【図９】幕板ユニットの構成を示す分解斜視図。
【図１０】幕板ユニットの構成を示す分解斜視図。
【図１１】外枠に対して遊技機本体及び幕板ユニットを開放させた状態を説明するための説明図。
【図１２】（ａ）外枠からの幕板ユニットの取り外しが規制された状態を説明するための説明図、（ｂ）外枠からの幕板ユニットの取り外しが許容された状態を説明するための説明図。
【図１３】（ａ），（ｂ）幕板ユニットのロック機構の構成を説明するための説明図。
【図１４】遊技機本体における遊技球の排出に関する構成を説明するための説明図。
【図１５】排出通路ユニットの構成を示す分解斜視図。
【図１６】（ａ）排出通路ユニットの構成を説明するための幕板ユニットの平面図、（ｂ）図１６（ａ）のＡ―Ａ線断面図。
【図１７】（ａ），（ｂ）第２通路ユニットの構成を説明するための説明図。
【図１８】（ａ），（ｂ）第２通路ユニットの回動範囲を説明するための説明図。
【図１９】（ａ）島設備をパチンコ機の背面側から見た状態を説明するための説明図、（ｂ）図１９（ａ）の一部を拡大して示す拡大図。
【図２０】パチンコ機の電気的構成を示すブロック図。
【図２１】第２の実施の形態における第２通路ユニットの構成を示す斜視図。
【図２２】第２通路ユニットの構成を示す分解斜視図。
【図２３】（ａ），（ｂ）第２通路ユニットの動きを説明するための説明図。
【図２４】（ａ）〜（ｃ）延長治具の構成を説明するための説明図。
【図２５】第３の実施の形態における第２通路ユニットの構成を説明するための説明図。
【図２６】第２通路ユニットの構成を説明するための説明図。
【図２７】（ａ），（ｂ）第４の実施の形態における第２通路ユニットの構成を説明するための説明図。
【図２８】（ａ）〜（ｃ）別の第２通路ユニットの構成を説明するための説明図。
【図２９】（ａ），（ｂ）別の第２通路ユニットの構成を説明するための説明図。
【図３０】別の幕板側排出通路部の構成を説明するための説明図。
【図３１】別の幕板側排出通路部の構成を説明するための説明図。
【発明を実施するための形態】
【０００９】
はじめに、本実施の形態から抽出され得る発明群を必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１０】
手段１．遊技場の島設備（島設備１９１）に固定される外枠（外枠１１）と、当該外枠に開閉可能に支持された遊技機本体（遊技機本体１２）と、を備え、遊技を行う上で使用された遊技媒体を前記島設備に排出する遊技機において、
前記遊技機本体に設けられ、前記島設備への遊技媒体の排出通路部における上流側を構成する本体側排出通路部（本体側排出通路部１４５）と、
前記外枠の下枠部（下枠部１１ａ）と前記遊技機本体との間において当該遊技機本体の開放に際して前記外枠側に待機可能に設けられ、前記遊技機本体の閉鎖状態において前記本体側排出通路部と連通し、前記排出通路部の下流側を構成する外枠側排出通路部（幕板側排出通路部１５６）と、
を備え、
前記外枠側排出通路部は前記下枠部の下端面よりも下方の位置にて遊技媒体の排出を行うことが可能なように形成されていることを特徴とする遊技機。
【００１１】
手段１によれば、遊技を行う上で使用された遊技媒体を島設備に排出する排出通路部のうち、上流側が本体側排出通路部として遊技機本体に設けられており、下流側が外枠側排出通路部として外枠側に設けられている。そして、外枠側排出通路部は下枠部の下端面よりも下方の位置にて遊技媒体の排出を行うことが可能なように形成されているため、従来の回収容器を設けなくても、島設備への遊技媒体の排出を良好に行うことが可能となる。これにより、従来の回収容器が設けられていた領域を、遊技機構成装置などを設置するための領域として有効活用することができる。
【００１２】
また、上記構成において、本体側排出通路部は遊技機本体に設けられているが、外枠側排出通路部は外枠側に設けられており、当該外枠側排出通路部は遊技機本体の開放に際して外枠側に待機可能となっている。これにより、外枠側排出通路部に対する何らかの操作を要することなく、遊技機本体や当該遊技機本体に搭載された装置などのメンテナンスに際して遊技機本体を開放させることができる。よって、遊技機のメンテナンス性を低下させないようにしつつ、領域の拡張に関する上記優れた効果を奏することができる。
【００１３】
以上より、遊技を進行させる上で用いられる遊技機構成装置などを設置するためのスペースの拡張を良好に実現することが可能となる。
【００１４】
手段２．手段１において、前記遊技機本体は左右方向の一方の側部を開閉基端側として前記外枠に開閉可能に支持されており、
前記本体側排出通路部と前記外枠側排出通路部との連通箇所は、前記開閉基端側に設けられていることを特徴とする遊技機。
【００１５】
手段２によれば、本体側排出通路部と外枠側排出通路部との連通箇所が開閉基端側に設けられているため、これら両通路部の連通に関して、外枠に対する遊技機本体の組付け誤差や、外枠に対する外枠側排出通路部の設置誤差などの影響を低減することができる。
【００１６】
手段３．手段１又は２において、前記外枠側排出通路部は、前記外枠の左右いずれか一方の側枠部に沿って後方に延びる上流側通路部（上流側通路部１５７）と、当該上流側通路部と連通されているとともに、前記下枠部の下端面よりも下方の位置にて遊技媒体の排出を行うことを可能とする下流側通路部（下流側通路部１５８）と、を備えていることを特徴とする遊技機。
【００１７】
手段３によれば、外枠側排出通路部は上流側通路部と下流側通路部とにより下枠部上の周縁に沿うようにして形成されており、下枠部と遊技機本体との間の領域であって下枠部の上方の領域を極力占有しないようにしつつ外枠側排出通路部が設けられている。これにより、下枠部と遊技機本体との間において、遊技機構成装置を設置するための領域を大きく確保することが可能となる。
【００１８】
なお、前記上流側通路部を、前記下枠部よりも後方の位置まで延出させるとよい。これにより、下流側通路部は下枠部と遊技機本体との間の領域であって下枠部の上方の領域を占有しないこととなり、上記手段３における効果をより高めることができる。
【００１９】
手段４．手段１乃至３のいずれか１において、前記遊技機本体と前記下枠部との間にて前記外枠に開閉可能に支持され、前記外枠側排出通路部が搭載された幕板ユニット（幕板ユニット１６）をさらに備えており、
前記遊技機本体及び前記幕板ユニットの回動軸は共に、縦軸であって遊技機両側部のうち同じ側の側部に設けられていることを特徴とする遊技機。
【００２０】
手段４によれば、外枠側排出通路部が幕板ユニットとして設けられているため、外枠側排出通路部のメンテナンスを行う場合は幕板ユニットを外枠に対して開放させることで、外枠側排出通路部を遊技機前方に引き出すことが可能となる。これにより、当該メンテナンス作業の作業性を向上させることができる。
【００２１】
また、遊技機本体及び幕板ユニットの回動軸は共に、縦軸であって遊技機両側部のうち同じ側の側部に設けられているため、遊技機本体及び外枠側排出通路部の両方をメンテナンスする場合には、開放操作させる方向が同一であるため、当該開放操作を容易に行うことができる。これにより、当該メンテナンス作業の作業性を向上させることができる。
【００２２】
手段５．手段４において、前記遊技機本体及び前記幕板ユニットの回動軸は、同一軸線上に設けられていることを特徴とする遊技機。
【００２３】
手段５によれば、本体側排出通路部が設けられた遊技機本体と、外枠側排出通路部が設けられた幕板ユニットの両方が回動可能（開閉可能）に設けられた構成において、両通路部の連通箇所の設計を比較的容易に行うことが可能となる。また、両通路部の連通に関して、外枠に対する遊技機本体の組付け誤差や、外枠に対する幕板ユニットの組付け誤差などの影響を低減することが可能となる。
【００２４】
手段６．手段５において、前記幕板ユニットの回動軸を構成する軸部材（支持金具１０４）は、前記遊技機本体の回動軸の少なくとも一部を構成していることを特徴とする遊技機。
【００２５】
本体側排出通路部が設けられた遊技機本体と、外枠側排出通路部が設けられた幕板ユニットの両方が回動可能に設けられた構成において、遊技機本体の軸部材及び幕板ユニットの軸部材が完全に独立したものである構成を想定すると、これら軸部材のそれぞれについて組付け誤差が生じるおそれがあり、そうすると両通路部の連通を設計通り行えないおそれがある。これに対して、手段６によれば、遊技機本体及び幕板ユニットに共通の軸部材が用いられているため、上記のような軸部材の組付け誤差が発生しないようにすることが可能となり、両通路部の連通が良好に行われるようにすることができる。
【００２６】
手段７．手段１乃至６のいずれか１において、前記本体側排出通路部の本体側出口部（球出口１４６）及び前記外枠側排出通路部の外枠側入口部（球入口１７４）は共に、１の遊技媒体は通過可能であるが、複数の遊技媒体が同時に通過することができない開口面積を有していることを特徴とする遊技機。
【００２７】
手段７によれば、本体側出口部及び外枠側入口部を遊技媒体は１ずつ通過することとなるため、複数の遊技媒体が同時に通過する構成に比べ、両通路部の連通箇所において遊技媒体が詰まってしまう可能性が低減される。また、外枠側入口部の開口面積を、１の遊技媒体は通過可能であるが、複数の遊技媒体が同時に通過することができない大きさとすることで、外枠側入口部の開口面積の大きさは従来の回収容器の回収口に比べて相当小さなものとなる。これにより、下枠部と遊技機本体との間に、遊技機構成装置を設置するための領域を広く確保することが可能となる。
【００２８】
なお、当該構成であっても、上記手段２等の構成を備えていることで、本体側排出通路部と外枠側排出通路部との連通が良好に行われる。
【００２９】
手段８．手段１乃至６のいずれか１において、前記本体側排出通路部の本体側出口部（球出口１４６）は、１の遊技媒体は通過可能であるが、複数の遊技媒体が同時に通過することができない開口面積を有しているとともに、
前記外枠側排出通路部の通路幅及び通路高さは、１の遊技媒体は通過可能であるが、任意の位置を複数の遊技媒体が同時に通過することができない寸法を有していることを特徴とする遊技機。
【００３０】
手段８によれば、本体側出口部及び外枠側入口部を遊技媒体は１ずつ通過することとなるため、複数の遊技媒体が同時に通過する構成に比べ、両通路部の連通箇所において遊技媒体が詰まってしまう可能性が低減される。また、外枠側排出通路部の通路幅及び通路高さを、１の遊技媒体は通過可能であるが、複数の遊技媒体が同時に通過することができない寸法とすることで、外枠側排出通路部が占める領域は従来の回収容器に比べて相当小さなものとなる。これにより、下枠部と遊技機本体との間に、遊技機構成装置を設置するための領域を広く確保することが可能となる。
【００３１】
なお、「前記外枠側排出通路部の通路幅及び通路高さ」は、外枠側排出通路部の通路方向に対して直交する方向の断面における幅及び高さのことである。
【００３２】
手段９．手段７又は８において、前記外枠側排出通路部の外枠側入口部（球入口１７４）は、前記本体側出口部よりも大きな開口面積を有していることを特徴とする遊技機。
【００３３】
手段９によれば、本体側排出通路部から外枠側排出通路部への遊技媒体の流入が円滑に行われる。また、外枠に対する遊技機本体等の組付け誤差が生じたとしても、ある程度の範囲であればそれをカバーすることができる。
【００３４】
手段１０．手段９において、前記本体側出口部と前記外枠側入口部とは上下に対向しており、
前記外枠側入口部には、上流側に向けて広口となるテーパ面が形成されていることを特徴とする遊技機。
【００３５】
手段１０によれば、本体側排出通路部から外枠側排出通路部への遊技媒体の流入が円滑に行われる。
【００３６】
手段１１．手段７乃至１０のいずれか１において、前記遊技機本体は左右方向の一方の側部を開閉基端側として前記外枠に開閉可能に支持されており、
前記本体側出口部と前記外枠側排出通路部の外枠側入口部とは上下に対向しており、
前記外枠側入口部は、前記遊技機本体が開放される場合における前記本体側出口部の軌道に沿うようにして形成されていることを特徴とする遊技機。
【００３７】
手段１１によれば、本体側排出通路部から外枠側排出通路部に遊技媒体が排出される直前などに遊技機本体の開放操作が行われたとしても、外枠側入口部が本体側出口部の通過軌道に沿うようにして形成されているため、その遊技媒体を外枠側排出通路部にて受けることが可能となる。
【００３８】
手段１２．手段１乃至１１のいずれか１において、前記本体側排出通路部の本体側出口部（球出口１４６）は、前記遊技機本体の背面部に設けられているとともに、前記遊技機本体と前記下枠部との間に、遊技を進行させる上で用いられる遊技機構成装置（スピーカユニット９５）が搭載されており、
前記外枠側排出通路部は、前記遊技機構成装置に対して上下又は左右に並んだ位置から当該遊技機構成装置の後方まで延びる上流側通路部（上流側通路部１５７）と、前記遊技機構成装置の後方に設けられ、前記上流側通路部と連通されているとともに、前記下枠部の下端面よりも下方の位置にて遊技媒体の排出を行うことを可能とする下流側通路部（下流側通路部１５８）と、を備えていることを特徴とする遊技機。
【００３９】
手段１２によれば、外枠側排出通路部が遊技機構成装置を迂回するようにして形成されているため、遊技機構成装置を設置するための領域を大きく確保することが可能となる。
【００４０】
手段１３．手段１乃至１２のいずれか１において、前記本体側排出通路部を通過する遊技媒体を検知する媒体検知手段（排出球検知センサ１４７）をさらに備えていることを特徴とする遊技機。
【００４１】
手段１３によれば、遊技を行う上で使用された遊技媒体が媒体検知手段にて検知されるため、その検知結果を用いることで遊技機の稼働率などを算出することが可能となり、遊技場における遊技機の管理を好適に行うことが可能となる。
【００４２】
この場合に、媒体検知手段は本体側排出通路部を通過する遊技媒体を検知するように設けられているため、遊技を行う上で使用された遊技媒体の検知を確実に行うことができる。媒体検知手段を外枠側排出通路部を通過する遊技媒体を検知するように設けた構成を想定すると、遊技機本体を外枠に対して開放した状態において本体側排出通路部を通過した遊技媒体は検知することができない。これに対して、上記のとおり媒体検知手段は本体側排出通路部を通過する遊技媒体を検知するように設けられているため、遊技機本体を外枠に対して開放した状態であっても、上記遊技媒体の検知を確実に行うことができる。
【００４３】
以下に、以上の各手段を適用し得る各種遊技機の基本構成を示す。
【００４４】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【００４５】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【００４６】
（第１の実施の形態）
以下、遊技機の一種であるパチンコ遊技機（以下、「パチンコ機」という）の第１の実施の形態を、図面に基づいて詳細に説明する。図１はパチンコ機１０を前方から見た斜視図、図２はパチンコ機１０を後方から見た斜視図、図３はパチンコ機１０の分解斜視図である。なお、図３では便宜上パチンコ機１０の遊技領域内の構成を省略している。
【００４７】
パチンコ機１０は、当該パチンコ機１０の外殻を形成する外枠１１と、この外枠１１に対して前方に回動可能（開閉可能）に取り付けられた遊技機本体１２とを有している。
【００４８】
外枠１１は、木製の板材を四辺に連結し構成されるものであって矩形枠状をなしている。この場合、外枠１１の下枠部１１ａの板幅は、図３に示すように、左右の枠部１１ｂ，１１ｃの板幅に比べ大きくなっており、下枠部１１ａは左右の枠部１１ｂ，１１ｃよりもパチンコ機１０前方に延出している。下枠部１１ａには幕板ユニット１６が設置されている。幕板ユニット１６については後に詳細に説明する。パチンコ機１０は、外枠１１を島設備に取り付け固定することにより、遊技場に設置される。なお、外枠１１を合成樹脂やアルミニウム等の金属によって形成することも可能である。
【００４９】
外枠１１の一側部に遊技機本体１２が回動可能に支持されている。具体的には、図３に示すように、外枠１１における上枠部１１ｄと左枠部１１ｂとの連結部分に上側支持用金具２１が固定されており、さらに外枠１１における下枠部１１ａと左枠部１１ｂとの連結部分に下側支持用突起２２が設けられている。これら上側支持用金具２１及び下側支持用突起２２により支持機構が構成され、当該支持機構によって外枠１１に対して遊技機本体１２が回動可能に支持されている。
【００５０】
また、遊技機本体１２には、図３に示すように、その回動先端部に施錠装置２３が設けられており、遊技機本体１２を外枠１１に対して閉鎖状態とした場合には施錠装置２３の鉤部材２４が外枠１１の右枠部１１ｃの内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００５１】
ここで、図２に示すように、外枠１１の右枠部１１ｃにおける後縁には、外枠１１の開口内側に突出した規制壁２６が一体形成されており、当該規制壁２６は右枠部１１ｃの全体に沿って形成されている。この規制壁２６により外枠１１の鉤受け部と施錠装置２３の鉤部材２４との係止箇所がパチンコ機１０の背面において露出していない。そして、この規制壁２６により、パチンコ機１０の背面側に針金等の不正用治具を挿入し、鉤受け部と鉤部材２４との係止状態を解除しようとしても、当該係止箇所への侵入が阻止されるため、当該不正行為を阻止することができる。
【００５２】
なお、外枠１１の鉤受け部を前方にのみ開放された箱状に形成し、鉤部材２４が前方から鉤受け部の内部に入り込み、当該内部にて係止状態となる構成としてもよい。この場合であっても、パチンコ機１０の背面側に針金等の不正用治具を挿入し、鉤受け部と鉤部材２４との係止状態を解除しようとする不正行為を阻止することができる。つまり、鉤部材２４と鉤受け部との係止箇所へのパチンコ機１０背面側からの不正用治具の侵入を規制することができるのであれば、当該侵入規制手段の具体的な構成は任意である。
【００５３】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００５４】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００５５】
次に、遊技機本体１２の前面側の構成について説明する。図４は内枠１３の正面図である。
【００５６】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００５７】
ここで、遊技盤３３の構成を図５に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００５８】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は、図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は、第２特定ランプ部４４に対応しており、遊技球がスルーゲート３７を通過した回数は最大４回まで保留され保留ランプ部４６の点灯によってその保留個数が表示されるようになっている。
【００５９】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００６０】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。
【００６１】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。
【００６２】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００６３】
遊技球発射機構５０は、図４に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００６４】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００６５】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００６６】
下側膨出部５８の右方には、手前側へ突出するようにしてハンドル装置５９が設けられている。ハンドル装置５９が操作されることにより、遊技球発射機構から遊技球が発射される。
【００６７】
次に、遊技機本体１２の背面側の構成について説明する。図６は内枠１３の背面図、図７は裏パックユニット１５の正面図である。
【００６８】
図６に示すように、内枠１３（遊技盤３３）の背面には、主制御装置ユニット６１及び音声ランプ制御装置ユニット６５が搭載されている。
【００６９】
主制御装置ユニット６１は、合成樹脂製の取付台６２を有し、取付台６２に主制御装置６３が搭載されている。主制御装置６３は、遊技の主たる制御を司る機能（主制御回路）と、電源を監視する機能（停電監視回路）とを有する主制御基板を具備しており、当該主制御基板が透明樹脂材料等よりなる基板ボックス６４に収容されて構成されている。
【００７０】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００７１】
裏パックユニット１５は、図７に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００７２】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００７３】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００７４】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【００７５】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００７６】
（幕板ユニット１６について）
次に、外枠１１に設けられた幕板ユニット１６について説明する。なお、以下の説明では、図１等に加え、図８〜図１０を適宜参照する。図８は外枠１１及び幕板ユニット１６を示す斜視図、図９及び図１０は外枠１１を含めた幕板ユニット１６の分解斜視図である。
【００７７】
図１に示すように、幕板ユニット１６は、外枠１１の下枠部１１ａと遊技機本体１２との間に設けられている。幕板ユニット１６は、その左右方向寸法が遊技機本体１２の左右方向寸法と同一又は略同一となっており、下枠部１１ａと遊技機本体１２との間において外枠１１の左右方向の全体又は略全体に亘って位置している。
【００７８】
当該幕板ユニット１６により、下枠部１１ａと遊技機本体１２との間に所定の高さの幕板領域が確保され、パチンコ機１０の島設備への設置状態において設置台から遊技機本体１２の下端部までの高さ位置が所定のものとなっている。これにより、例えば、遊技場において、設置台上におけるパチンコ機１０の下皿５８ａの下方に遊技球の収容箱を置くことが可能となる。この場合に、幕板ユニット１６には、遊技機本体１２を構成する部位の前方において当該遊技機本体１２を構成する部位と前後方向に対向する部位を有していない。よって、遊技機本体１２の外枠１１に対する開放及び閉鎖に際して幕板ユニット１６が邪魔となることはない。
【００７９】
幕板ユニット１６は、合成樹脂製の複数のケース体９２，９３，９４を組み合せることにより形成されたハウジング９１を備えている。詳細には、図９に示すように、ハウジング９１の底部を構成する下側ケース体９２と、ハウジング９１の前面を構成する前側ケース体９３と、ハウジング９１の天井部を構成する上側ケース体９４と、を備えており、下側ケース体９２に対して前側ケース体９３及び上側ケース体９４が取り付けられていることにより、所定の内部空間を有する略直方体状のハウジング９１が形成されている。
【００８０】
ちなみに、前側ケース体９３及び上側ケース体９４は下側ケース体９２にネジ固定されているため（着脱自在に固定されているため）、当該ネジ固定を解除し、例えば上側ケース体９４を取り外すことで、図１０に示すように、幕板ユニット１６を外枠１１に取り付けた状態においてハウジング９１の内部空間を露出させることができる。
【００８１】
ハウジング９１内には、スピーカユニット９５と排出通路ユニット９６とが設けられている。これらスピーカユニット９５及び排出通路ユニット９６は、図１０に示すように、スピーカユニット９５を前側、排出通路ユニット９６を後側としてハウジング９１内に設置されている。
【００８２】
具体的には、図９に示すように、下側ケース体９２には前側の領域にスピーカユニット９５を設置するための平面部９２ａが形成されているとともに、平面部９２ａよりも後側には底側から上方に凹ませるようにして設けられ、排出通路ユニット９６の一部を収容可能な膨出部９２ｂが形成されている。なお、膨出部９２ｂは、下方に向けて開放されているとともに、左右方向の一端側はハウジング９１の内部空間に向けて開放されている。
【００８３】
スピーカユニット９５は平面部９２ａに対してネジ固定されており（着脱自在な状態で固定されており）、排出通路ユニット９６は膨出部９２ｂ内に一部を挿通した状態で下側ハウジング９１にネジ固定されている（着脱自在な状態で固定されている）。スピーカユニット９５の前方には前側ケース体９３が設けられているとともに、スピーカユニット９５及び排出通路ユニット９６の上方には上側ケース体９４が設けられている。このようにスピーカユニット９５及び排出通路ユニット９６が前後に並べて搭載されていることにより、幕板ユニット１６の前後方向寸法は比較的大きくなっており、外枠１１の前後方向寸法よりも大きいものとなっている。なお、スピーカユニット９５及び排出通路ユニット９６の詳細については後に説明する。
【００８４】
（幕板ユニット１６の回動に関する構成について）
幕板ユニット１６は、外枠１１に対してパチンコ機１０前方に回動可能（開閉可能）に支持されている。この回動に関する構成について図８乃至図１０に加え、図１１及び図１２を用いて以下に説明する。図１１は外枠１１に対する幕板ユニット１６の回動の様子を説明するための説明図、図１２は外枠１１に対して幕板ユニット１６が回動可能に支持されている構成を説明するための説明図である。
【００８５】
図９に示すように、外枠１１における左枠部１１ｂと下枠部１１ａとの隅角部分には支軸ユニット１０１が設けられている。支軸ユニット１０１は上下に一対の支持用金属板１０２，１０３を備えている。下側の支持用金属板１０２は下枠部１１ａに固定されているとともに、上側の支持用金属板１０３は左枠部１１ｂに固定されている。これら支持用金属板１０２，１０３は共に下枠部１１ａの前端面よりもパチンコ機１０前方に突出しており、この突出した箇所において両支持用金属板１０２，１０３は上下に離間された状態で相互に対向している。この突出した箇所には両支持用金属板１０２，１０３を上下に連結するようにして棒状（円柱状）の支持金具１０４が設けられている。
【００８６】
支持金具１０４はその下端が下側の支持用金属板１０２に固定されているとともに、上端側は上側の支持用金属板１０３を上下に貫通した状態で固定されている。支持金具１０４における上下の支持用金属板１０２，１０３間に位置している領域が幕板ユニット１６の軸部に相当する。
【００８７】
上記支持金具１０４に対応させて幕板ユニット１６のハウジング９１の前側ケース体９３には、図９に示すように、その左右の一端（具体的には左端）に、軸受け部１０５が形成されている。軸受け部１０５は、前側ケース体９３において中央側及び他端側よりも前方に膨出しており、図１２（ａ），（ｂ）に示すように、後方に向けて開放された内部空間１０６が形成されている。また、当該内部空間１０６の上縁を規定する上板部１０７及び下縁を規定する下板部１０８にはそれぞれ、内部空間１０６側への支持金具１０４の入り込みを許容するための許容溝１０７ａ，１０８ａが形成されている。
【００８８】
幕板ユニット１６は、支持ユニット１０１における上下の支持用金属板１０２，１０３間に軸受け部１０５が入り込み、且つ軸受け部１０５の許容溝１０７ａ，１０８ａの前側縁部に支持金具１０４が入り込むようにして設置されている。これにより、図１１に示すように、幕板ユニット１６が外枠１１に対して回動可能となっている。このように幕板ユニット１６を外枠１１に対して回動可能とすることで、幕板ユニット１６に搭載されたスピーカユニット９５や排出通路ユニット９６は外枠１１の下枠部１１ａのメンテナンスに際して、外枠１１から幕板ユニット１６を取り外さなくても幕板ユニット１６をパチンコ機１０前方に大きく引き出すことが可能となり、当該メンテナンス作業の作業性が向上する。
【００８９】
なお、幕板ユニット１６の軸受け部１０５は、下枠部１１ａよりも前方に突出した位置にある。そうすると、遊技場において下皿５８ａの下方であって設置台上にある遊技球の収容箱をその位置から移動させる場合に、当該収容箱が軸受け部１０５に引っ掛かってしまうことが想定される。これに対して、軸受け部１０５の前面は、内側から外側に向けてパチンコ機１０前方となるように傾斜させて形成されているため、収容箱が軸受け部１０５に引っ掛かりづらくなっている。
【００９０】
ここで、幕板ユニット１６の回動軸は外枠１１の左枠部１１ｂ側となっており、この位置は遊技機本体１２の回動軸側となっている。つまり、遊技機本体１２と幕板ユニット１６とは、左右の両側部のうち同じ一側部を回動基端（開閉基端）とし、同じ他側部を回動先端（開閉先端）としている。
【００９１】
また、幕板ユニット１６の軸部は支持金具１０４により構成されているが、当該支持金具１０４は上記のとおり上端側は支持ユニット１０１における上側の支持用金属板１０３よりも上方に突出している。そして、この上方に突出した箇所は、遊技機本体１２の支持機構を構成する下側支持用突起２２となっている。つまり、遊技機本体１２と幕板ユニット１６とは各々回動可能に同軸支持されている。また、遊技機本体１２における下側支持用突起２２と、幕板ユニット１６における軸部とは共に、単一の支持金具１０４により形成されているため、それぞれ別々の部材により軸部を形成する構成に比べ、部材点数の削減化が図られるだけでなく、遊技機本体１２と幕板ユニット１６との相互の位置合わせを良好に行うことができる。
【００９２】
支持金具１０４は上記のとおり許容溝１０７ａ，１０８ａの前側縁部まで入り込んでおり、この入り込んだ支持金具１０４は軸受け部１０５の内部空間１０６内に設置されたストッパ部材１１１により抜けが防止されている。なお、許容溝１０７ａ，１０８ａの周縁部に対して低摩擦化処理を施すようにしてもよく、この場合、許容溝１０７ａ，１０８ａに支持金具１０４を挿入する場合、及び許容溝１０７ａ，１０８ａから支持金具１０４を抜き取る場合にそれが円滑に行われる。
【００９３】
（ストッパ部材１１１について）
ここで、ストッパ部材１１１について詳細に説明する。
【００９４】
ストッパ部材１１１は、図１２（ａ），（ｂ）に示すように、内部空間１０６内において縦軸回動可能に設けられており、回動軸を構成する軸部１１２と、当該軸部１１２を基端として外方に延びる上下一対の規制アーム１１３と、軸部１１２を基端として規制アーム１１３とは異なる方向に延びる操作レバー１１４とを備えている。
【００９５】
ストッパ部材１１１は、規制アーム１１３が軸部１１２よりもパチンコ機１０前方に位置するようにして設置されている。そして、図１２（ａ）に示すように、規制アーム１１３が支持金具１０４の取り外し経路上に突出し、当該支持金具１０４の許容溝１０７ａ，１０８ａに沿った取り外し方向の移動を当接により規制する規制位置と、図１２（ｂ）に示すように、規制アーム１１３が上記取り外し経路から没入し、当該支持金具１０４の許容溝１０７ａ，１０８ａに沿った取り外し方向の移動を規制しない規制解除位置と、に回動可能となっている。ストッパ部材１１１が規制位置にある場合、外枠１１からの幕板ユニット１６の取り外しが支持金具１０４と規制アーム１１３との当接により規制され、ストッパ部材１１１が規制解除位置にある場合、外枠１１からの幕板ユニット１６の取り外しが許容される。
【００９６】
なお、ストッパ部材１１１が規制位置にあり、規制アーム１１３により支持金具１０４の抜けが防止されている状況であっても、当該規制アーム１１３は幕板ユニット１６の回動を阻止しないようになっている。この場合、規制アーム１１３の先端又は支持金具１０４の周面の少なくとも一方に低摩擦化処理を施すことで、幕板ユニット１６の回動を円滑に行うことができる。
【００９７】
図示は省略するが、内部空間１０６内にはストッパ部材１１１を規制位置に向けて常時付勢する付勢手段が設けられている。したがって、ストッパ部材１１１は基本的に規制位置にあり、操作レバー１１４が手動操作されることにより、規制解除位置に移動する。但し、これに限定されることはなく、具体的な構成は任意である。
【００９８】
ストッパ部材１１１の操作レバー１１４は軸受け部１０５の内部空間１０６内において後方に開放された開口部側に位置しているが、幕板ユニット１６の閉鎖状態では内部空間１０６の開口部の略全体が支持ユニット１０１の支持用金属板１０２，１０３と近い位置にて対峙している。つまり、幕板ユニット１６の閉鎖状態では規制解除操作を行うことが不可又は規制解除操作を行うことが難しい状態で、ストッパ部材１１１は設けられている。これにより、外枠１１からの幕板ユニット１６の取り外しに際して幕板ユニット１６の開放操作を要することとなるため、幕板ユニット１６を不正に取り外そうとする不正行為者にとってその作業が手間となり、当該不正行為の抑制効果が期待される。
【００９９】
一方、上記のとおり操作レバー１１４は内部空間１０６内において開口部側に位置している。したがって、遊技場の管理者等がメンテナンスなどにおいて幕板ユニット１６を外枠１１から取り外す場合には、幕板ユニット１６を開放状態とすることで、操作レバー１１４を容易に手動操作することができる。よって、上記のように不正行為の阻止を図るようにした構成において、メンテナンスにおける作業性の低下が抑えられる。
【０１００】
なお、幕板ユニット１６を外枠１１に対して開放状態としなくても遊技機本体１２を開放状態とすることで、操作レバー１１４の操作が可能となる構成としてもよい。この場合であっても、外枠１１からの幕板ユニット１６の取り外しに際して少なくとも遊技機本体１２の開放操作を要するため、幕板ユニット１６を不正に取り外そうとする不正行為の抑制効果が期待される。
【０１０１】
（幕板ユニット１６の閉鎖状態について）
次に、幕板ユニット１６の閉鎖状態について図１，図２等だけでなく図１３も参照しながら説明する。図１３（ａ），（ｂ）はロック機構を説明するための説明図である。
【０１０２】
図１３（ａ）に示すように、幕板ユニット１６のハウジング９１の前側ケース体９３には、軸受け部１０５とは反対側の端部に当り部１１５が形成されており、幕板ユニット１６を外枠１１に対して閉鎖状態とした場合には当り部１１５が外枠１１の右枠部１１ｃの前面にパチンコ機１０前方から当接する。これにより、幕板ユニット１６の閉鎖方向へのそれ以上の回動が規制される。この場合、図１１等に示すように、外枠１１の下枠部１１ａ上には長尺状の金属製支持部１１６が設けられており、閉鎖状態において幕板ユニット１６は金属製支持部１１６上に載った状態となる。なお、幕板ユニット１６の閉鎖状態においては、前側ケース体９３も下枠部１１ａ上に載った状態となり、さらには幕板ユニット１６の前面は下枠部１１ａの前面と面一又は略面一となる。
【０１０３】
幕板ユニット１６は、既に説明したように、前後方向寸法が外枠１１よりも大きく、閉鎖状態においては前側ケース体９３の当り部１１５が右枠部１１ｃの前面にパチンコ機１０前方から当接する。したがって、幕板ユニット１６の閉鎖状態においては、図２に示すように、幕板ユニット１６は外枠１１の後側端面よりも後方に突出した状態となる。このように幕板ユニット１６が外枠１１の後側端面よりも後方に突出していることにより、パチンコ機１０の設置作業時などにおいてパチンコ機１０を立てた状態で載置した場合に、当該パチンコ機１０が後方へ転倒してしまうことを幕板ユニット１６の後方への突出部分において受けることが可能となる。
【０１０４】
上記のように幕板ユニット１６の回動先端側に形成された当り部１１５が右枠部１１ｃの前面にパチンコ機１０前方から当接する構成において、幕板ユニット１６の回動先端側には、閉鎖状態の幕板ユニット１６のパチンコ機１０前方への回動を阻止するためのロック機構が設けられている。
【０１０５】
（ロック機構について）
ここで、ロック機構について説明する。
【０１０６】
ロック機構は、幕板ユニット１６に設けられたロック部材１２１と、右枠部１１ｃに形成されたロック受け部１２２とから構成されている。ロック部材１２１は、前側ケース体９３の当り部１１５の裏面側において手動操作可能に設けられており、当該手動操作により左右方向にスライド移動させることができる。ロック部材１２１のスライド移動を実現するための構成として具体的には、当り部１１５にはロック部材１２１の後方への離脱を防止するとともにロック部材１２１の左右方向のスライド移動を可能とするレール部が設けられており、ロック部材１２１は当該レール部に沿ってスライド移動可能に設置されている。
【０１０７】
ロック受け部１２２は、右枠部１１ｃの内側面を側方に凹ませて形成されている。具体的には、右枠部１１ｃの側面を構成する側板部１２３と、当該側板部１２３の前側端部から外枠１１の開口内側に向けて突出し幕板ユニット１６の当り部１１５が当接する前板部１２４とにより形成されており、外枠１１の開口内側に向けて開放されている。
【０１０８】
上記構成において、ロック部材１２１を、図１３（ａ）に示すように、幕板ユニット１６の閉鎖状態においてロック受け部１２２内に先端部が突出した状態に移動させることで、幕板ユニット１６を開放させようとしても、ロック部材１２１が前板部１２４の裏面に当接するため、幕板ユニット１６の回動が規制されることとなる。これにより、外枠１１に幕板ユニット１６がロックされ、幕板ユニット１６の回動が阻止される。
【０１０９】
一方、ロック部材１２１を、ロック受け部１２２から先端部を没入させることで、図１３（ｂ）に示すように、外枠１１に幕板ユニット１６がロックされた状態が解除され、幕板ユニット１６の回動が許容される。つまり、ロック部材１２１は、幕板ユニット１６をロック状態とするロック位置と、幕板ユニット１６を非ロック状態とする非ロック位置とに切り換え配置可能に設けられている。
【０１１０】
ここで、幕板ユニット１６の閉鎖状態においては、図１３（ａ）に示すように、当該幕板ユニット１６及び右枠部１１ｃにより前側と左右両側とが遮蔽された収容空間１２５が形成される。そして、幕板ユニット１６の閉鎖状態においては、当該収容空間１２５にロック部材１２１及びロック受け部１２２が収容された状態となる。また、幕板ユニット１６の下側ケース体９２には、収容空間１２５の後側を遮蔽又は略遮蔽する遮蔽壁部１２６が一体形成されている。なお、当該遮蔽壁部１２６は、幕板ユニット１６の回動に際して右枠部１１ｃと干渉しないように形成されている。このように遮蔽壁部１２６が形成されていることにより、収容空間１２５の開放方向が概ね上方のみとなるように規制されている。
【０１１１】
収容空間１２５が上方に開放されていることにより、遊技機本体１２を開放状態とした場合には、パチンコ機１０前方において幕板ユニット１６の上方からロック部材１２１を手動操作することができる。これにより、ロック部材１２１を手動操作する場合の操作性が向上し、これに伴って幕板ユニット１６のメンテナンス性が向上される。特に、ロック部材１２１は回動先端側に設けられているため、回動基端側に設けられた構成に比べ、ロック部材１２１の手動操作を無理なく行うことができる。
【０１１２】
収容空間１２５の上方への開口部は遊技機本体１２を閉鎖状態とした場合に、非露出状態となる。さらに言うと、遊技機本体１２を閉鎖状態とした場合には、当該遊技機本体１２の下側の端面が収容空間１２５の上方への開口部と前後に対峙し、当該開口部を遮蔽又は略遮蔽する。これにより、遊技機本体１２の閉鎖状態ではロック部材１２１の操作が不可となる。特に、収容空間１２５が閉空間となる又は略閉空間となるため、収容空間１２５内に針金やセルといった不正用治具を挿入しようとしてもそれが困難なものとなる。また、パチンコ機１０においては、パチンコ機１０の背面側からの不正行為が考えられるが、上記のとおり遮蔽壁部１２６が形成されていることにより、パチンコ機１０の背面側から収容空間１２５内に上記不正用治具を挿入しようとしてもそれを阻止することが可能となる。つまり、遊技機本体１２の閉鎖状態においては幕板ユニット１６の開放が阻止される。
【０１１３】
遊技機本体１２の閉鎖状態において幕板ユニット１６の開放を阻止する構成は、遊技機本体１２が幕板ユニット１６に載った状態となることによっても実現される。詳細には、幕板ユニット１６は、上記のとおり幕板領域を構成するものであり、幕板ユニット１６の閉鎖状態において遊技機本体１２を閉鎖状態とすることで、図１に示すように、当該遊技機本体１２は幕板ユニット１６上に載った状態となる。
【０１１４】
以上のように、遊技機本体１２の閉鎖状態において幕板ユニット１６の開放を阻止することで、外枠１１からの幕板ユニット１６の開放操作に際して遊技機本体１２の開放操作を要することとなる。そうすると、幕板ユニット１６を不正に取り外そうとする不正行為者にとってその作業が手間となり、当該不正行為の抑制効果が期待される。
【０１１５】
ちなみに、遊技機本体１２はその背面周縁部が外枠１１の上枠部１１ｄや右枠部１１ｃなどにパチンコ機１０前方から当接することで、それ以上の後方への移動が規制されるが、このパチンコ機１０の後方への移動を規制する規制部１２７は、幕板ユニット１６の上面にも形成されている。また、幕板ユニット１６の上面には、遊技機本体１２が直接載ることとなる金属板１２８，１２９が複数設けられており、これら金属板１２８，１２９にて遊技機本体１２の重量が受けられることで、ハウジング９１の割れなどが防止されている。
【０１１６】
なお、ロック部材１２１をロック位置に向けて付勢するバネなどの付勢手段を設けてもよい。この場合、幕板ユニット１６を開放状態から閉鎖状態とした場合には、幕板ユニット１６が自ずとロック状態となり、幕板ユニット１６のメンテナンスを行った作業者が幕板ユニット１６をロック状態にすることを忘れてしまうことが防止される。また、ロック部材１２１がロック位置に向けて付勢されていることにより、ロック部材１２１を非ロック位置に向けて不正に移動させようとする行為も行いづらくなる。
【０１１７】
（スピーカユニット９５について）
次に、スピーカユニット９５について説明する。
【０１１８】
スピーカユニット９５は、既に説明したように、幕板ユニット１６のハウジング９１内に収容されている。スピーカユニット９５は、図９及び図１０に示すように、土台１３１を備えており、当該土台１３１上に３個のスピーカ１３２が搭載されている。これら各スピーカ１３２は、コーン形状をなし且つ振動板を振動させることにより音を出力する周知のスピーカ装置であり、その前面の直径が高さ寸法よりも大きいものである。また、各スピーカ１３２の背面側には複数の通過孔が形成されており、振動板が振動した場合にはスピーカ１３２の前面側及び背面側の両方から音が出力される。
【０１１９】
各スピーカ１３２は、土台１３１上において左右方向に所定間隔を置いて並設されており、いずれも下向きに配置されている。また、幕板ユニット１６におけるハウジング９１の内部空間は、スピーカユニット９５側と排出通路ユニット９６側とで前後に区画されており、少なくともスピーカユニット９５側の空間は、ハウジング９１における前面を構成する前側ケース体９３に形成された開口部１３３以外では外部に開放されていない。つまり、ハウジング９１内にはエンクロージャとしての機能を有する空間が形成されているとともに、前側ケース体９３の開口部１３３が音出口としての機能を有している。また、土台１３１には下向きのスピーカ１３２から出力された音を開口部１３３へ向けて前方へ導く案内空間が形成されている。これにより、スピーカ１３２の前面から出力された音及び背面から出力された音は、開口部１３３を通じてパチンコ機１０前方へ伝搬していく。
【０１２０】
上記のように幕板ユニット１６にスピーカユニット９５を搭載したことにより、外枠１１の下枠部１１ａと遊技機本体１２との間の幕板領域を有効活用してスピーカ１３２を設けることができる。特に、スピーカユニット９５が配置されている領域は、外枠１１の下枠部１１ａにおける前後方向の領域の全体に亘っているため、比較的大型のスピーカ１３２を設置することができ、音響効果を高めることができる。
【０１２１】
なお、各スピーカ１３２には図示しない電気配線を通じて動作電力が供給されることとなるが、当該電気配線は遊技機本体１２に搭載された音声ランプ制御装置６６と電気的に接続されている。したがって、各スピーカ１３２には、音声ランプ制御装置６６から動作電力が供給される。この場合に、幕板ユニット１６の回動軸側に中継基板を設け、当該中継基板にて上記電気配線を中継させる構成としてもよい。また、当該電気配線を軸部分に沿わせてもよく、こうすることで遊技機本体１２を開放状態から閉鎖状態とする場合に電気配線が遊技機本体１２と下枠部１１ａとの間に挟まれてしまうことが抑制される。
【０１２２】
また、スピーカ１３２を下向きに搭載することは必須の構成ではなく、前向きに搭載してもよい。さらには、幕板ユニット１６のハウジング９１内においてエンクロージャとしての機能を有する空間をハウジング９１の後側端部まで拡張し、その後側端部に前向きの状態でスピーカ１３２を設置してもよい。
【０１２３】
（排出通路ユニット９５について）
次に、排出通路ユニット９６及びそれに関連する構成について説明する。
【０１２４】
排出通路ユニット９６は、遊技機本体１２から排出された遊技球を島設備の球循環設備に誘導する機能を有している。ここで、遊技機本体１２における遊技球の排出に関する構成について説明する。図１４は遊技機本体１２における遊技球の排出に関する構成を説明するための説明図である。
【０１２５】
遊技機本体１２の裏パックユニット１５には、排出通路盤１４１が設けられている。排出通路盤１４１は、制御装置集合ユニット７３の前側に設けられている。排出通路盤１４１は、図１４に示すように、合成樹脂材料により形成された前側ベース体１４２及び後側ベース体１４３を備えており、両者が前後に組付けられて構成されている。
【０１２６】
後側ベース体１４３には、前側ベース体１４２と対向する面に前方へと起立した通路壁１４４が一体形成されており、これら通路壁１４４により上方、前方及び下方の一部にて開放された溝が形成されている。そして、当該溝の前方開放部を前方から塞ぐようにして、後側ベース体１４３に対して前側ベース体１４２が組付けられていることにより、排出通路盤１４１の上面及び排出通路盤１４１の下面の一部にてそれぞれ開放された本体側排出通路部１４５が形成されている。
【０１２７】
本体側排出通路部１４５は、遊技を行う上で使用された遊技媒体、具体的には、遊技球発射機構５０から遊技領域に発射され当該遊技領域を流下した後に当該遊技領域から排出された遊技球を回収し、その回収した遊技球を幕板ユニット１６に設けられた排出通路ユニット９６に導くように形成されている。また、本体側排出通路部１４５は、通路の途中位置から球出口（本体側球出口）１４６に向けて通路の開口面積が狭くなるように形成されており、本体側排出通路部１４５内に同時に複数の遊技球が導入されたとしても、それら遊技球は同時に同一箇所を通過することはなく、１個ずつ球出口１４６から排出されることとなる。なお、排出口１４６が設けられた位置は、外枠１１の前縁よりも後方であって後縁よりも前方の領域の範囲内となっている。
【０１２８】
本体側排出通路部１４５の球出口１４６には、排出球検知センサ（排出球検知手段）１４７が設けられている。排出球検知センサ１４７は磁気検知タイプの近接センサからなるが、遊技球の通過を検知することができるのであればこれに限定されることはなく、例えばフォトセンサなどを用いてもよい。
【０１２９】
排出球検知センサ１４７により、本体側排出通路部１４５を通過する遊技球は１個ずつ検知される。排出球検知センサ１４７は主制御装置６３と電気的に接続されており、主制御装置６３では排出球検知センサ１４７の検知結果に基づいて本体側排出通路部１４５の遊技球の通過を把握し、１０個の遊技球の通過を把握する毎に、外部端子板７６を通じて遊技場の管理コンピュータ（ホールコンピュータ）に特定信号を出力する。
【０１３０】
ここで、排出球検知センサ１４７は、本体側排出通路部１４５を通過する遊技球を検知するように設けられているため、遊技を行う上で使用された遊技球の検知を確実に行うことができる。排出球検知センサ１４７を後述する幕板側排出通路部１５６を通過する遊技球を検知するように設けた構成を想定すると、遊技機本体１２を外枠１１に対して開放した状態において本体側排出通路部１４５を通過した遊技球は検知することができない。これに対して、上記のとおり排出球検知センサ１４７は本体側排出通路部１４５を通過する遊技球を検知するように設けられているため、遊技機本体１２を外枠１１に対して開放した状態であっても、上記遊技球の検知を確実に行うことができる。さらには、管理コンピュータにおいてパチンコ機１０の稼働率を正確に把握することができる。
【０１３１】
次に、排出通路ユニット９６の構成について、図９、図１５及び図１６を用いて詳細に説明する。図１５は排出通路ユニット９６の分解斜視図、図１６（ａ）は排出通路ユニット９６の構成を説明するための幕板ユニット１６の平面図、図１６（ｂ）は図１６（ａ）のＡ―Ａ線断面図である。
【０１３２】
排出通路ユニット９６は、図１５に示すように、幕板ユニット１６のハウジング９１の下側ケース体９２に固定されるベース板１５１と、ベース板１５１の前方に設けられた第１通路ユニット１５２と、ベース板１５１の後方に設けられた第２通路ユニット１５３と、第２通路ユニット１５３をベース板１５１に組付ける上で用いられる組付け用リング１５４と、ベース板１５１に設けられたストッパ１５５とを備えている。これら各構成部品１５１〜１５５は、先ずストッパ１５５がベース板１５１に組付けられ、その後、ベース板１５１を前後に挟むようにして組付け用リング１５４と第２通路ユニット１５３とが組付けられ、最後に組付け用リング１５４の前方からベース板１５１に対して第１通路ユニット１５２が組付けられている。これら各構成部品１５１〜１５５が組付けられていることで、幕板側排出通路部１５６が形成されている。
【０１３３】
幕板側排出通路部１５６は、図１６（ａ）に示すように、幕板ユニット１６の前後方向の途中位置からパチンコ機１０後方に向けて延び、幕板側排出通路部１５６の上流側を構成する上流側通路部１５７と、当該上流側通路部１５７に連通させて設けられ、幕板側排出通路部１５６の下流側を構成するとともに上流側通路部１５７とは異なる方向に延びる下流側通路部１５８とを有している。
【０１３４】
上流側通路部１５７は主として第１通路ユニット１５２に形成されている。第１通路ユニット１５２は、図１５に示すように、ベース板１５１への固定箇所を構成する固定フランジ１６１を備えているとともに、当該固定フランジ１６１を前後に貫通する前後貫通部１６２を備えている。この場合、前後貫通部１６２には、図１６（ｂ）に示すように、上方にて開放され上下に延びる通路領域１６３と、当該通路領域１６３の下端からパチンコ機１０後方に向けて延び後方にて開放された通路領域１６４とが形成されている。また、前後貫通部１６２において固定フランジ１６１よりもパチンコ機１０後方に突出した部位は、固定フランジ１６１をベース板１５１に固定した状態において、ベース板１５１及び組付け用リング１５４にそれぞれ形成された貫通孔１６５，１６６を貫通している。そして、この前後貫通部１６２において貫通した箇所は、第２通路ユニット１５３内に入り込んでいる。
【０１３５】
下流側通路部１５８は主として第２通路ユニット１５３に形成されている。第２通路ユニット１５３は、図１５に示すように、円盤１７１と通路樋（通路形成部又は通路形成用筒体）１７２とを備えており、円盤１７１がベース板１５１に対してその後方から組付けられているとともに、円盤１７１の背面に通路樋１７２が固定されている。
【０１３６】
円盤１７１には前後方向に貫通した貫通孔１７３が形成されており、当該貫通孔１７３は通路樋１７２の内部に形成された通路領域と連通されているとともに、貫通孔１７３内には第１通路ユニット１５２における前後貫通部１６２の後側端部が入り込んでいる。上記構成により、上流側通路部１５７及び下流側通路部１５８を有する幕板側排出通路部１５６が形成されている。
【０１３７】
排出通路ユニット９６は、図１６（ａ）に示すように、上流側通路部１５７が幕板ユニット１６の回動基端側においてパチンコ機１０の前後方向に延び、下流側通路部１５８が基本的に幕板ユニット１６の回動先端側に向けて延びるように設置されている。より詳細には、上流側通路部１５７は、スピーカユニット９５よりも幕板ユニット１６の回動基端側に配置されているとともに、スピーカユニット９５の前後方向に延びる側部に沿うようにして形成されている。換言すれば、上流側通路部１５７は、外枠１１の右枠部１１ｃに沿うようにして形成されており、外枠１１の前後方向の途中位置からスピーカユニット９５よりも後方まで延びている。
【０１３８】
また、下流側通路部１５８は、スピーカユニット９５よりもパチンコ機１０後方に配置されているとともに、スピーカユニット９５の左右方向に延びる後側縁部に沿うようにして形成されている。つまり、幕板側排出通路部１５６はスピーカユニット９５を迂回するようにして形成されている。このように幕板側排出通路部１５６がスピーカユニット９５を迂回するようにして形成されていることにより、スピーカユニット９５を設置するための領域を大きく確保することができ、スピーカユニット９５のスピーカ１３２として大型のものを用いることができるとともに、複数のスピーカ１３２を設置することができる。
【０１３９】
幕板側排出通路部１５６の球入口１７４（すなわち、上流側通路部１５７の球入口１７４）は、図１４に示すように、本体側排出通路部１４５の球出口１４６の下方に位置している。したがって、本体側排出通路部１４５を通過した遊技球は幕板側排出通路部１５６内に導入される。
【０１４０】
ここで、本体側排出通路部１４５の球出口１４６及びその周辺と、幕板側排出通路部１５６とは共に、遊技球１個分よりも若干大きい程度の通路の開口面積を有しており、複数の遊技球が同時に同一箇所を通過しないようになっている。この場合に、幕板側排出通路部１５６の球入口１７４は、本体側排出通路部１４５の球出口１４６に向けて拡張（拡径）されたテーパ状に形成されており、球入口１７４は球出口１４６よりも大きな開口面積を有している。また、球入口１７４の上方領域に球出口１４６が含まれるように、球出口１４６と球入口１７４とは同一軸線上に位置している。これにより、本体側排出通路部１４５から排出される遊技球が幕板側排出通路部１５６に導入され易くなっている。
【０１４１】
また、幕板側排出通路部１５６の球入口１７４の方が大きな開口面積を有していることにより、外枠１１に対する遊技機本体１１や幕板ユニット１６の組付け誤差が生じたとしても、ある程度の範囲であればそれをカバーすることができる。
【０１４２】
ちなみに、本体側排出通路部１４５の球出口１４６と幕板側排出通路部１５６の球入口１７４は上下方向に若干離間されている。これにより、幕板ユニット１６を閉鎖状態としたまま遊技機本体１２を開放状態とする場合に、両通路部１４５，１５６の連通箇所にて引っ掛かりが生じないようになっている。また、離間された距離は、遊技球１個分未満（より好ましくは、遊技球半個分未満）となっているため、両通路部１４５，１５６の連通箇所から遊技球が外側に零れてしまうことはない。なお、球出口１４６と球入口１７４とが上下に離間されている構成は必須のものではなく、遊技機本体１２及び幕板ユニット１６の両方の閉鎖状態において球出口１４６と球入口１７４とが連続する構成としてもよい。この場合、両通路部１４５，１５６の連通箇所における遊技球の流れを円滑なものとすることが可能となる。
【０１４３】
ここで、本パチンコ機１０では、本体側排出通路部１４５の球出口１４６と幕板側排出通路部１５６の球入口１７４とが連通し易い構造となっている。当該構造について詳細には、既に説明したように、本体側排出通路部１４５の球出口１４６及び幕板側排出通路部１５６の球入口１７４は、遊技機本体１２及び幕板ユニット１６の回動基端側に設けられている。つまり、本体側排出通路部１４５と幕板側排出通路部１５６との連通個所は、遊技機本体１２及び幕板ユニット１６の回動基端側となっている。また、遊技機本体１２の回動軸と幕板ユニット１６の回動軸とは同一軸線上に位置しており、さらには遊技機本体１２における下側支持用突起２２と、幕板ユニット１６における軸部とは共に、単一の支持金具１０４により形成されている。したがって、遊技機本体１２が回動する場合における本体側排出通路部１４５の球出口１４６の通過軌道と、幕板ユニット１６が回動する場合における幕板側排出通路部１５６の球入口１７４の通過軌道とが重なることとなる。これにより、遊技機本体１２と幕板ユニット１６とを共に外枠１１に対して回動可能に設けた構成において、本体側排出通路部１４５と幕板側排出通路部１５６との連通に関して、遊技機本体１２や幕板ユニット１６の外枠１１への組付け誤差の影響が低減されるため、両通路部１４５，１５６の連通を良好に行うことができる。
【０１４４】
特に、遊技機本体１２における下側支持用突起２２と、幕板ユニット１６における軸部とを共に単一の支持金具１０４により形成したことにより、本体側排出通路部１４５と幕板側排出通路部１５６との連通に関して、遊技機本体１２や幕板ユニット１６の外枠１１への組付け誤差の影響が飛躍的に低減される。例えば、遊技機本体１２及び幕板ユニット１６に対してそれぞれ異なる軸部を設ける構成も想定されるが、この場合、それら軸部の組付け誤差が生じることがあり、そうすると両通路部１４５，１５６の連通に関して誤差分の影響が出てしまう。これに対して、本構成によれば、このような誤差の影響を解消することができる。
【０１４５】
（第２通路ユニット１５３について）
次に、第２通路ユニット１５３の構成についてより詳細に説明する。なお、以下の説明では、図１７も適宜参照しながら説明する。図１７は第２通路ユニット１５３の構成を説明するための説明図である。
【０１４６】
第２通路ユニット１５３は、既に説明したように、円盤１７１と通路樋１７２とを備えており、ベース板１５１に組付けられている。この場合に、第２通路ユニット１５３はベース板１５１に回動可能に支持されている。詳細には、図１５に示すように、円盤１７１は外側環部１７５と内側環部１７６とを備えており、内側環部１７６は外側環部１７５からパチンコ機１０前方に突出している。内側環部１７６の外径はベース板１５１の貫通孔１６５の孔径よりも若干小さくなっており、当該内側環部１７６はベース板１５１の貫通孔１６５内にその後方から遊挿されている。但し、外側環部１７５の外径は貫通孔１６５の孔径よりも大きく、外側環部１７５はベース板１５１の後方に位置している。
【０１４７】
上記のように貫通孔１６５に遊挿された内側環部１７６に対してベース板１５１の前方から組付け用リング１５４が圧入されている。この場合、組付け用リング１５４において内側環部１７６内に圧入された箇所よりも前方側には環状のフランジ１７７が形成されており、当該フランジ１７７の外径はベース板１５１の貫通孔１６５の孔径よりも大きい。
【０１４８】
上記構成では、組付け用リング１５４のフランジ１７７と円盤１７１の外側環部１７５とでベース板１５１を前後に挟み込む構成となっている。但し、これらフランジ１７７及び外側環部１７５間の距離は、ベース板１５１の厚み寸法よりも若干大きく確保されている。上記構成により、第２通路ユニット１５３はベース板１５１に対して前後方向を回動軸として回動可能に設けられており、第２通路ユニット１５３の通路樋１７２も回動可能となっている。そして、通路樋１７２の回動に伴って、通路樋１７２の先端部１７８に形成された幕板側排出通路部１５６の球出口（排出口）１７９の高さ位置が変化する。
【０１４９】
通路樋１７２はその左右方向の一側部が円盤１７１に固定されている。つまり、通路樋１７２は円盤１７１に片持ち支持されており、その支持された側を回動軸として回動可能となっている。また、円盤１７１が設置された箇所は、幕板ユニット１６の回動基端側となっている。詳細には、円盤１７１はスピーカユニット９５よりも幕板ユニット１６の回動基端側に設置されている。したがって、通路樋１７２の回動軸も幕板ユニット１６の回動基端側、すなわち、スピーカユニット９５よりも幕板ユニット１６の回動基端側に配置されている。
【０１５０】
上記のとおり通路樋１７２が回動可能に設けられた構成において、第２通路ユニット１５３は通路樋１７２の回動位置を所望の回動位置にて保持可能な保持手段を備えている。当該保持手段は、所定の持ち上げ力に伴う通路樋１７２の先端部１７８の上方への移動を許容するとともに、通路樋１７２の先端部１７８の下方への移動に際しては保持解除操作を要するラチェット機構よりなる。
【０１５１】
詳細には、保持手段として、円盤１７１の外側環部１７５の内周側に設けられたラック部１８１と、ベース板１５１に組付けられたストッパ１５５とが設けられている。ラック部１８１は、図１７（ａ）に示すように、外側環部１７５の内周側において当該内周に沿った一部の領域に設けられている。ラック部１８１が設けられている領域は、図１７（ａ）の状態において外側環部１７５の内周を４等分した場合の左上の領域となっている。この場合に、上記のとおり外側環部１７５はベース板１５１よりもパチンコ機１０後方に位置しているため、ラック部１８１もベース板１５１よりもパチンコ機１０後方に位置している。ラック部１８１には複数の歯１８２が周方向に並設されており、これら歯１８２は通路樋１７２の先端部１７８が下方に移動する場合の回動方向の先端側に傾けて形成されている。
【０１５２】
一方、ストッパ１５５は、操作レバー１８３と、当該操作レバー１８３に対して一体形成され当該操作レバー１８３の背面からパチンコ機１０後方に突出させて設けられた爪部１８４とを備えている。ストッパ１５５は、ベース板１５１に対して前方から組付けられており、前後方向を回動軸としてベース板１５１に回動可能に支持されている。なお、ストッパ１５５の回動軸は、ベース板１５１において円盤１７１の外側環部１７５よりも上方の位置に設けられている。
【０１５３】
ベース板１５１にはスリット１８５が形成されており、当該スリット１８５を通じて爪部１８４がベース板１５１よりも後方に突出し、外側環部１７５の内周側に入り込んでいる。また、ベース板１５１には、爪部１８４がラック部１８１の歯１８２に噛み合う方向に、ストッパ１５５を常時付勢するバネ１８６が設けられている。なお、付勢手段としては、バネ１８６のようにつるまきバネである必要はなく、ストッパ１５５に付勢力を加えることができるのであれば板バネ等であってもよい。また、ストッパ１５５の操作レバー１８３はベース板１５１の上端に形成された開口部１８７を通じて露出しており、操作レバー１８３の先端は開口部１８７よりも上方に突出している。
【０１５４】
ちなみに、当該操作レバー１８３は、図８に示すように、幕板ユニット１６の上面において露出している。但し、島設備への設置状態において遊技機本体１２の閉鎖状態では、操作レバー１８３よりも前方の空間が閉塞されており、当該操作レバー１８３を押圧操作することができない。したがって、操作レバー１８３の押圧操作を行うためには遊技機本体１２を開放状態とする必要があり、遊技機本体１２の開放状態においてはパチンコ機１０前方から操作レバー１８３の押圧操作を行うことができる。特に、操作レバー１８３は幕板ユニット１６の上面において露出しているため、操作レバー１８３の押圧操作の操作性が高められている。
【０１５５】
上記のように保持手段が設けられていることにより、操作レバー１８３を押圧操作していない状態においては、図１７（ａ）に示すように、バネ１８６の付勢力によりストッパ１５５が保持位置（又は初期位置）にあり、ストッパ１５５の爪部１８４の先端がラック部１８１の歯１８２と噛み合っている。この場合、上記のとおり歯１８２は通路樋１７２の先端部１７８が下方に移動する場合の回動方向の先端側に傾けて形成されていることにより、通路樋１７２の先端部１７８が下方に移動する方向に第２通路ユニット１５３が回動しようとしても、それが歯１８２と爪部１８４との噛み合いにより規制される。一方、通路樋１７２の先端部１７８が上方に移動する方向に第２通路ユニット１５３が回動する場合、歯１８２の傾斜により爪部１８４には噛み合いを解消する方向に力が加わる。そして、通路樋１７２又は円盤１７１に対して、通路樋１７２の先端部１７８が上方に移動する方向にバネ１８６の付勢力よりも大きな力が加えられた場合には、操作レバー１８３を操作していない状態であっても第２通路ユニット１５３、すなわち通路樋１７２が回動する。
【０１５６】
ここで、通路樋１７２の回動位置は、歯１８２と爪部１８４とが噛み合った位置にて保持されるため、本保持手段は、通路樋１７２の回動位置を予め定められた複数の回動保持位置に段階的に保持するものであると言える。また、この回動保持位置は、通路樋１７２の先端部１７８（すなわち、幕板側排出通路部１５６の球出口）が外枠１１の下枠部１１ａの下端面よりも下方にある場合において複数段階となるように設定されているとともに、下枠部１１ａの下端面よりも上方にある場合においても複数段階となるように設定されている。これにより、通路樋１７２の回動位置（すなわち、幕板側排出通路部１５６の位置）を所望の位置に調整する際の自由度を高めることができるため、当該回動位置の調整を良好に行うことができる。なお、少なくとも下枠部１１ａの下端面よりも下方にある場合において複数段階となるように設定されていればよい。
【０１５７】
また、操作レバー１８３がバネ１８６の付勢力に抗する力により下方に押圧操作された状態においては、図１７（ｂ）に示すように、ストッパ１５５は保持解除位置（又は操作時位置）にあり、爪部１８４と歯１８２との噛み合いが解除される。この場合、保持手段による第２通路ユニット１５３の回動位置の保持が解除され、第２通路ユニット１５３は通路樋１７２の自重により、当該通路樋１７２の先端部１７８が下方に移動する方向に回動する。
【０１５８】
ちなみに、第２通路ユニット１５３の回動範囲は、爪部１８４と歯１８２との噛み合いが可能な範囲内に定められており、図示は省略するが、ベース板１５１には第２通路ユニット１５３が所定の回動範囲を越えて回動しないように範囲規制部が設けられているが、当該範囲規制部を不具備としてもよい。
【０１５９】
（第２通路ユニット１５３の回動範囲について）
次に、第２通路ユニット１５３の回動範囲及びそれに関連する構成について図１８を用いて詳細に説明する。図１８は、第２通路ユニット１５３の回動範囲を説明するための説明図である。
【０１６０】
図１８（ａ）に示すように、第２通路ユニット１５３の回動範囲には、通路樋１７２の先端部１７８が外枠１１の下枠部１１ａよりも上方となった回動位置と、図１８（ｂ）に示すように、通路樋１７２の先端部１７８が外枠１１の下枠部１１ａよりも下方となった回動位置とが含まれている。
【０１６１】
通路樋１７２の先端部１７８が最も上方となった回動位置では、通路樋１７２の全体が幕板ユニット１６のハウジング９１における下側ケース体９２の膨出部９２ｂ内に収容された状態となる。この収容された状態が第２通路ユニット１５３の収容状態である（又はこの収容された位置が第２通路ユニット１５３の収容位置である）。そして、上記のとおり保持手段が設けられていることにより、第２通路ユニット１５３は収容状態において保持可能である。
【０１６２】
収容状態では、通路樋１７２の先端部１７８の位置は、下枠部１１ａの下端面よりも上方となる。これにより、パチンコ機１０の搬送時などには収容状態とすることで、通路樋１７２が下枠部１１ａの下端面よりも下方に突出しないようにすることができる。よって、パチンコ機１０の搬送時の利便性を向上させることができる。また、収容状態では、第２通路ユニット１５３は幕板ユニット１６のハウジング９１により完全に覆われる。したがって、パチンコ機１０の搬送時には、第２通路ユニット１５３を収容状態としておくことで、パチンコ機１０の搬送に際して通路樋１７２が邪魔になることはなく、さらには搬送経路上にある物が第２通路ユニット１５３に当たってしまうことが防止されている。
【０１６３】
一方、パチンコ機１０の島設備への設置後には、遊技機本体１２から排出される遊技球を島設備の球循環設備に円滑に排出するために、通路樋１７２の先端部１７８が外枠１１の下枠部１１ａよりも下方となるように第２通路ユニット１５３が回動される。ここで、パチンコ機１０から球循環設備への遊技球の排出について図１９を用いて詳細に説明する。図１９は、パチンコ機１０から球循環設備への遊技球の排出の様子を説明するための説明図である。なお、図１９（ａ）は、島設備１９１をパチンコ機１０の背面側から見た状態を示しており、図１９（ｂ）は、図１９（ａ）の一部の拡大図である。
【０１６４】
図１９（ａ）に示すように、島設備１９１には、複数のパチンコ機１０が並設されている。また、島設備１９１においてパチンコ機１０の後方には球循環設備の樋状の誘導部１９２が設けられている。誘導部１９２は、複数のパチンコ機１０に亘って位置しており、上面が所定方向に下り傾斜となるように設置されている。この下り傾斜の方向は、島設備１９１に設置されたパチンコ機１０の回動基端側から回動先端側に向けて下り傾斜となる方向である。各パチンコ機１０から排出された遊技球は誘導部１９２上に落下し、当該遊技球は自重により誘導部１９２の上面をその傾斜に沿って下る。
【０１６５】
島設備１９１に設置された各パチンコ機１０においては、通路樋１７２の先端部１７８が外枠１１の下枠部１１ａよりも下方となるように第２通路ユニット１５３が回動操作されている。この場合に、誘導部１９２は第２通路ユニット１５３を収容状態から回動させた場合における通路樋１７２の先端部１７８の通過範囲内に含まれており、さらには通路樋１７２の先端部１７８が誘導部１９２の上面に載った際に通路樋１７２が円盤１７１にて片持ち支持された側からパチンコ機１０における反対側の側部に向けて下り傾斜となるように誘導部１９２とパチンコ機１０との位置関係が設定されている。これにより、図１９（ａ）に示すように、通路樋１７２はその先端部１７８が誘導部１９２の上面に載っているとともに、誘導部１９２の下り傾斜となった側に向けて下り傾斜となっている。
【０１６６】
但し、上記のとおり誘導部１９２はその上面が所定方向に下り傾斜となっているため、誘導部１９２の上面に対するパチンコ機１０の下端面までの距離は、誘導部１９２の傾斜方向に並設されたパチンコ機１０毎に異なっている。つまり、誘導部１９２の傾斜方向の上流側にあるパチンコ機１０はそれよりも下流側にあるパチンコ機１０よりも、誘導部１９２の上面に対するパチンコ機１０の下端面までの距離が短くなっている。この場合であっても、上記のとおり、誘導部１９２は第２通路ユニット１５３を収容状態から回動させた場合における通路樋１７２の先端部１７８の通過範囲内に含まれているため、各パチンコ機１０のそれぞれにおいて通路樋１７２の先端部１７８が誘導部１９２の上面に載った状態となり、且つ誘導部１９２の下り傾斜となった側に向けて下り傾斜となる。
【０１６７】
特に、島設備１９１に対するパチンコ機１０の設置位置は任意であり、さらには遊技場においてパチンコ機１０の設置位置を変更することがある。この場合に、上記のとおり第２通路ユニット１５３の回動位置を手動操作により変更可能な構成としたことにより、パチンコ機１０の設置及び設置位置の変更に際して、遊技場の管理者等による簡易な操作により通路樋１７２を上記状態に設定することができる。
【０１６８】
通路樋１７２の先端部１７８が誘導部１９２の上面に載った状態において通路樋１７２が下り傾斜となっていることで、遊技球が鉛直落下する場合よりも誘導部１９２に到達した際の遊技球の排出速度を抑えることが可能となる。これにより、幕板側排出通路部１５６から排出された遊技球が誘導部１９２上に到達した場合に当該誘導部１９２上に掛かる負荷が低減される。よって、誘導部１９２の破損等を抑えることができる。また、通路樋１７２は、誘導部１９２の下り傾斜となった側に向けて下り傾斜となっているため、幕板側排出通路部１５６から排出された遊技球は円滑に誘導部１９２上を流れることとなる。
【０１６９】
但し、上記のように通路樋１７２の先端部１７８が誘導部１９２の上面に載った状態となる構成において、誘導部１９２の通路幅が遊技球１個分又はそれよりも若干大きい程度の構成の場合、通路樋１７２により誘導部１９２上の遊技球の流れが阻害されてしまうことが懸念される。これに対して、通路樋１７２により誘導部１９２上の遊技球の流れを阻害しないようにするための構成が通路樋１７２自身に設けられている。
【０１７０】
詳細には、図１５及び図１９（ｂ）に示すように、通路樋１７２の先端部１７８は、誘導部１９２上に載った状態において誘導部１９２上を流れる遊技球の通過を許容するように、対向する側壁１９３を底部１９４及び天井部１９５よりも延長させてアーチ状に形成されている。言い換えると、通路樋１７２の先端部１７８は、底部１９４と天井部１９５とにそれぞれ開口部１９４ａ，１９５ａが形成されたアーチ状をなしている。
【０１７１】
側壁１９３の延長部位１９６の距離は、遊技球の直径よりも大きく、さらには先端部１７８が外枠１１の下枠部１１ａよりも下方となった場合に延長部位１９６の下端位置から底部１９４の下端位置までの高さ寸法が遊技球の直径よりも大きい。通路樋１７２の先端部１７８が上記のように形成されていることにより、図１９（ｂ）に示すように、通路樋１７２の先端部１７８が誘導部１９２の上面に載った状態において、当該先端部１７８よりも上流側から流れてきた遊技球は開口部１９４ａ，１９５ａを通過することとなる。よって、誘導部１９２上の遊技球の流れが通路樋１７２の先端部１７８により阻害されてしまうことはない。
【０１７２】
なお、通路樋１７２の先端部１７８が誘導部１９２の上面に載っていることは必須ではなく、当該上面から若干上方に離間された位置に通路樋１７２の先端部１７８を配置するようにしてもよい。
【０１７３】
（遊技機本体１２及び幕板ユニット１６のメンテナンス作業について）
次に、遊技機本体１２及び幕板ユニット１６のメンテナンス作業について簡略に説明する。
【０１７４】
遊技場に設置された状態において遊技機本体１２に搭載された主制御装置６３や払出装置７８等のメンテナンスを行う場合には、遊技機本体１２を外枠１１に対して開放させる。この場合、先端部１７８が外枠１１の下枠部１１ａよりも下方となるように配置されている通路樋１７２は幕板ユニット１６に搭載されており、当該幕板ユニット１６は外枠１１に組付けられている。例えば、幕板ユニット１６が遊技機本体１２に組付けられた構成や、通路樋１７２が遊技機本体１２に搭載された構成を想定すると、遊技機本体１２の開放に際して通路樋１７２を収容状態へ回動させる必要が生じてしまう。そうすると、パチンコ機１０の前方から通路樋１７２を収容状態へ回動させる機構などを別途設ける必要が生じ、構成の複雑化を招くこととなる。これに対して、本パチンコ機１０によれば、遊技機本体１２の開放に際して通路樋１７２は外枠１１側に残るため、上記のような機構を設ける必要はなく、遊技機本体１２の開放操作を円滑に行うことができる。上記メンテナンス作業後は、遊技機本体１２を閉鎖状態とすることで、元の状態となる。
【０１７５】
幕板ユニット１６に搭載されたスピーカユニット９５等のメンテナンスを行う場合には、遊技機本体１２を外枠１１に対して開放させるとともに、幕板ユニット１６も外枠１１に対して開放させる。
【０１７６】
幕板ユニット１６の開放操作について詳細には、遊技機本体１２を外枠１１に対して開放させた後は、幕板ユニット１６の開放に際して通路樋１７２が外枠１１の下枠部１１ａに引っ掛からないようにすべく、通路樋１７２を収容状態に回動させる。この際、既に説明したように、通路樋１７２の回動位置を保持する保持手段は、通路樋１７２の先端部１７８の上方への移動は許容するラチェット機構よりなるため、パチンコ機１０前方から幕板ユニット１６の後方に手を回し、通路樋１７２の先端部１７８を上方に移動させることで、収容状態への回動操作を容易に行うことができる。また、通路樋１７２の先端部１７８は幕板ユニット１６の回動先端側に位置しているため、上記回動操作に際して回動先端側に手を差し入れればよく、回動基端側に手を差し入れる場合に比べ、その調整作業を容易に行うことができる。
【０１７７】
その後、幕板ユニット１６のロック部材１２１をロック位置から非ロック位置にスライド移動させる（図１３参照）。この際、既に説明したように、ロック部材１２１は幕板ユニット１６の上面に露出しており、当該幕板ユニット１６の上方からの手動操作によりスライド移動させることができるため、ロック解除操作を容易に行うことができる。
【０１７８】
その後、幕板ユニット１６を外枠１１に対して開放させることにより、幕板ユニット１６を閉鎖状態の位置よりも前方に大きく引き出すことができる。この状態において、幕板ユニット１６の上側ケース体９４のネジ固定を解除することで、スピーカユニット９５を露出させることができ（図１０参照）、例えばスピーカユニット９５の点検や掃除などを行うことができる。
【０１７９】
また、スピーカユニット９５の交換等を行うために幕板ユニット１６を取り外す必要がある場合には、スピーカユニット９５に接続されている電気配線を中継基板などから抜き取った後に、ストッパ部材１１１の操作レバー１１４を手動操作し、ストッパ部材１１１を規制解除位置に回動させる（図１２参照）。これにより、外枠１１に設けられた支持金具１０４から幕板ユニット１６の軸受け部１０５を離間させることが可能となり、幕板ユニット１６の取り外しが可能となる。
【０１８０】
幕板ユニット１６のメンテナンスが終了した後は、上記動作を逆に行うことで、幕板ユニット１６を外枠１１に対して閉鎖状態とすることができる。
【０１８１】
（パチンコ機１０の電気的構成について）
次に、パチンコ機１０の電気的構成について、図２０のブロック図に基づいて説明する。図２０では、電力の供給ラインを二重線矢印で示し、信号ラインを実線矢印で示す。
【０１８２】
主制御装置６３に設けられた主制御基板２０１には、主制御回路２０２と停電監視回路２０３とが内蔵されている。主制御回路２０２には、ＣＰＵ２０４が搭載されている。ＣＰＵ２０４には、当該ＣＰＵ２０４により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０１８３】
ＣＰＵ２０４には、入力ポート及び出力ポートがそれぞれ設けられている。ＣＰＵ２０４の入力側には、主制御基板２０１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵ２０４には停電監視回路２０３を介して電力が供給される。
【０１８４】
また、ＣＰＵ２０４の入力側には、排出球検知センサ１４７が接続されており、既に説明したように、ＣＰＵ２０４では排出球検知センサ１４７の検知結果に基づいて本体側排出通路部１４５の遊技球の通過を把握し、１０個の遊技球の通過を把握する毎に、外部端子板７６を通じて遊技場の管理コンピュータに特定信号を出力する。
【０１８５】
一方、ＣＰＵ２０４の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０１８６】
停電監視回路２０３は、主制御回路２０２と電源及び発射制御基板２１５とを中継し、また電源及び発射制御基板２１５から出力される最大電圧である直流安定２４ボルトの電圧を監視する。
【０１８７】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０１８８】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０１８９】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０１９０】
音声ランプ制御基板２２１は、スピーカユニット９５及び表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０１９１】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、スピーカユニット９５及び表示制御装置２２５を制御する。表示制御装置２２５は、音声ランプ制御基板２２１から入力する表示コマンドに基づいて図柄表示装置４１を制御する。
【０１９２】
以上詳述した本実施の形態によれば、以下の優れた効果を奏する。
【０１９３】
遊技を行う上で使用された遊技球を島設備１９１に排出する排出通路部のうち、上流側を本体側排出通路部１４５として遊技機本体１２に設け、下流側を幕板側排出通路部１５６として外枠１１側に設けた。そして、幕板側排出通路部１５６を外枠１１の下枠部１１ａの下端面よりも下方の位置にて遊技球の排出を行うことが可能なように形成した。これにより、従来の回収容器を設けなくても、島設備１９１への遊技球の排出を良好に行うことができる。よって、従来の回収容器が設けられていた領域を、遊技機構成装置としてのスピーカユニット９５を設置するための領域として有効活用することができる。
【０１９４】
また、上記構成において、幕板側排出通路部１５６を外枠１１側に設け、遊技機本体１２の開放に際して外枠１１側に待機可能とした。これにより、幕板側排出通路部１５６に対する何らかの操作を要することなく、遊技機本体１２や遊技機本体１２に搭載された主制御装置６３などのメンテナンスに際して遊技機本体１２を開放させることができる。よって、パチンコ機１０のメンテナンス性を低下させないようにしつつ、領域の拡張に関する上記優れた効果を奏することができる。
【０１９５】
幕板側排出通路部１５６の通路幅及び通路高さを、１個の遊技球は通過可能であるが、複数の遊技球が同時に通過することができない寸法としたことにより、幕板領域において幕板側排出通路部１５６が占める領域は従来の回収容器に比べて相当小さなものとなる。これにより、幕板領域にスピーカユニット９５といった遊技機構成装置を設置するための領域を広く確保することが可能となる。
【０１９６】
回動機構を有する第２通路ユニット１５３に幕板側排出通路部１５６の下流側を構成する下流側通路部１５８を形成し、通路樋１７２の回動位置を調整することにより、幕板側排出通路部１５６の球出口１７９の高さ位置を調整することができるようにした。これにより、幕板側排出通路部１５６の球出口１７９の高さ位置を下枠部１１ａの下端面よりも下方において変更することができるため、従来の回収容器を設けなくても、島設備１９１に設置された誘導部１９２の近くの位置にて遊技球の排出を行うことが可能となる。よって、幕板側排出通路部１５６から排出された遊技球が誘導部１９２上に到達した場合に当該誘導部１９２上に掛かる負荷が低減されるため、誘導部１９２の破損等を抑えつつ、上記優れた効果を得ることができる。
【０１９７】
通路樋１７２の回動位置を保持する保持手段として、ラチェット構造を適用し、幕板側排出通路部１５６の球出口１７９の高さ位置を上方へ移動させる場合には、保持解除操作を行わなくても通路樋１７２を手動操作することで当該通路樋１７２を回動させることができるようにした。球出口１７９の高さ位置を上方へ移動させる場合とは、パチンコ機１０のメンテナンスを行う場合などであり、上記構成とすることで、当該メンテナンスの作業性を向上させることができる。
【０１９８】
その一方、幕板側排出通路部１５６の球出口１７９の高さ位置を下方へ移動させる場合には、通路樋１７２を手動操作しても回動することなく、保持解除操作を要するようにした。通路樋１７２には自重により、球出口１７９の高さ位置を下方へ移動させる方向に力が加わっているため、球出口１７９の高さ位置を所望の位置に調整した状態を良好に維持することができるようにするためには、球出口１７９の高さ位置を下方へ移動させる方向の力に対向する大きな保持力が必要となる。この場合に、当該方向への回動に際しては保持解除操作を要するようにしたことにより、球出口１７９の高さ位置を所望の位置に調整した状態を良好に維持することができる。
【０１９９】
また、当該構成であっても、調整作業として球出口１７９の高さ位置を下方へ移動させる場合には保持解除操作を行うことで、通路樋１７２は自重によって自ずと回動する。これにより、球出口１７９の高さ位置を下方へ移動させる場合の作業性を向上させることができる。
【０２００】
幕板ユニット１６を外枠１１に対してパチンコ機１０前方に開放可能に設けたため、スピーカユニット９５のメンテナンスに際しては幕板ユニット１６をパチンコ機１０前方に開放させることで、パチンコ機１０前方に引き出した位置にてスピーカユニット９５のメンテナンスを行うことができる。よって、当該メンテナンス作業の作業性を向上させることができる。
【０２０１】
なお、幕板ユニット１６を外枠１１に対して開放可能に設けたことにより、下枠部１１ａ上に幕板ユニット１６を搭載した構成において、パチンコ機１０を島設備１９１に固定する場合の外枠１１に対する釘打ちに際して、下枠部１１ａ上からの幕板ユニット１６の離脱を容易に行うことができる。
【０２０２】
また、幕板ユニット１６を外枠１１から離脱可能に設けたため、スピーカユニット９５の交換時や、当該スピーカユニット９５のメンテナンスを念入りに行う必要がある場合には、幕板ユニット１６を外枠１１から取り外すことで、当該作業を良好に行うことができる。
【０２０３】
特に、幕板ユニット１６は下枠部１１ａと遊技機本体１２との間に設けられているため、遊技者が飲み物を溢してしまうことが考えられる。この場合に、メンテナンス作業の作業性の向上が図られていることで、上記の場合にメンテナンスを良好に行うことができる。
【０２０４】
一方、遊技機本体１２が開放される場合に幕板ユニット１６は外枠１１側に待機可能に設けられているため、遊技機本体１２のメンテナンスを行う場合には、当該遊技機本体１２のみを開放させ、幕板ユニット１６を閉鎖状態に維持することができる。よって、当該メンテナンス作業の作業性を向上させることができる。
【０２０５】
遊技機本体１２及び幕板ユニット１６の回動軸は共に、縦軸であってパチンコ機１０両側部のうち同じ側の側部に設けられているため、遊技機本体１２及び幕板ユニット１６の両方をメンテナンスする場合には、開放操作される方向が同一であるため、当該開放操作を容易に行うことができる。これにより、当該メンテナンス作業の作業性を向上させることができる。
【０２０６】
ストッパ部材１１１を設け、幕板ユニット１６の軸受け部１０５からの外枠１１の支持金具１０４の抜けを規制するようにした。また、ロック部材１２１及びロック受け部１２２からなる幕板ユニット１６のロック機構を設け、幕板ユニット１６の閉鎖状態でのロックを可能とした。これにより、幕板ユニット１６の閉鎖状態を安定した状態で維持させることができ、これに伴って幕板ユニット１６における遊技機本体１２の下方からの支持を安定した状態で行うことができる。
【０２０７】
一方、ストッパ部材１１１及びロック部材１２１の解除操作を共に手動で行うことができるようにしたことにより、メンテナンスに際しては幕板ユニット１６の開放操作を簡易的に行うことができる。例えば、ストッパ部材１１１及びロック部材１２１の解除操作が電気的な装置の駆動を介して行われる構成を想定すると、パチンコ機１０の電断状態においては、幕板ユニット１６の開放操作を行えなくなってしまうが、上記のとおり解除操作を手動で行うことができるようにしたことによりパチンコ機１０が電断状態であるか否かに関係なく、幕板ユニット１６の開放操作を行うことができる。よって、幕板ユニット１６のメンテナンス作業の作業性を向上させることができる。
【０２０８】
また、上記のようにストッパ部材１１１及びロック部材１２１の解除操作を共に手動で行うことができるようにした構成において、ストッパ部材１１１の解除操作を幕板ユニット１６の閉鎖状態において規制するようにするとともに、ロック部材１２１の解除操作を遊技機本体１２の閉鎖状態において規制するようにした。さらには、遊技機本体１２の閉鎖状態では当該遊技機本体１２が幕板ユニット１６上に載った状態となるようにした。これにより、幕板ユニット１６を取り外すためには幕板ユニット１６を開放操作する必要が生じ、幕板ユニット１６を開放操作するには遊技機本体１２を開放操作する必要が生じる。よって、幕板ユニット１６の不正開放及び不正取り外しを防止することが可能となる。
【０２０９】
（第２の実施の形態）
本実施の形態では、第２通路ユニットの構成が上記第１の実施の形態と異なっている。そこで、以下に本実施の形態における第２通路ユニット２３１の構成について説明する。図２１は第２通路ユニット２３１の構成を示す斜視図、図２２は第２通路ユニット２３１の分解斜視図、図２３は第２通路ユニット２３１の動きを説明するための説明図である。
【０２１０】
本実施の形態における第２通路ユニット２３１は、上記第１の実施の形態と異なり、２つの回動軸を有している。詳細には、第２通路ユニット２３１は、図２２に示すように、第２通路ユニット２３１を幕板ユニット１６のハウジング９１に固定するための通路固定リング２３２と、幕板側排出通路部１５６における下流側通路部１５８の上流側を形成するとともに回動可能に設けられた第１可動部２３３と、幕板側排出通路部１５６における下流側通路部１５８の下流側を形成するとともに回動可能に設けられた第２可動部２３４と、第２可動部２３４に対して延長治具を固定する場合に用いられる保持部材２３５及び軸ピン２３６と、を備えている。なお、これら各構成部品２３２〜２３６は、全て合成樹脂材料により形成されている。
【０２１１】
第１可動部２３３は、一対のケース体２４１，２４２を備えており、これらケース体２４１，２４２が前後に重ね合わされていることで、横方向に延びるベース部２４３と、当該ベース部２４３から上方へ突出した筒部２４４とが形成されている。ベース部２４３及び筒部２４４には一連の通路領域が形成されており、当該通路領域が下流側通路部１５８の上流側を構成している。
【０２１２】
第１可動部２３３の筒部２４４は、通路固定リング２３２における縦方向に貫通した貫通孔２４５内に挿通されており、当該筒部２４４は通路固定リング２３２に対して縦方向を回動軸（以下、第１回動軸ともいう）として回動可能に支持されている。これにより、第１可動部２３３は、縦方向を回動軸として通路固定リング２３２に対して回動可能となっている。
【０２１３】
第１可動部２３３のベース部２４３における筒部２４４側とは反対側の端部に、第２可動部２３４が組付けられている。この場合、ベース部２４３の側壁には当該側壁を貫通するようにして軸孔２４６が形成されているとともに、第２可動部２３４には軸孔２４６に対応させて軸用突起２４７が形成されている。そして、軸孔２４６に対して軸用突起２４７が遊挿されるようにして、第２可動部２３４の一端が第１可動部２３３のベース部２４３により外側から挟まれている。この状態では、第１可動部２３３からの第２可動部２３４の離脱が阻止されるとともに、第２可動部２３４は上記第１回動軸と直交する方向を回動軸（以下、第２回動軸ともいう）として第１可動部２３３に対して回動可能に支持されている。
【０２１４】
また、第２可動部２３４には、軸用突起２４７を中心として環状の角度調整部２４８が形成されており、第１可動部２３３にも図示は省略するが角度調整部２４８に対応させて調整受け部が形成されている。そして、これら角度調整部２４８と調整受け部とが噛み合った状態においては、第１可動部２３３に対する第２可動部２３４の回動が規制され、第２可動部２３４の回動位置が保持される。なお、この保持状態は、角度調整部２４８と調整受け部との噛み合いを解除可能な程度の力で第２可動部２３４を回動させることで解除される。
【０２１５】
第２可動部２３４は筒状をなしており内部に通路領域が形成されている。当該通路領域が下流側通路部１５８の下流側を構成しており、第１可動部２３３に形成された通路領域と連通されている。これにより、下流側通路部１５８が形成されている。
【０２１６】
第２可動部２３４の筒壁には、軸線方向の途中位置にて通路領域を外部に露出させるようにして、開口部２４９が形成されている。この開口部２４９を閉塞するようにして保持部材２３５が設置されている。ちなみに、保持部材２３５は有端の環状に形成されており、上記開口部２４９を閉塞するように配置した上で両端を結合させることにより、第２可動部２３４からの離脱が阻止されている。
【０２１７】
また、第２可動部２３４及び保持部材２３５は、第２可動部２３４の軸線方向に延びる軸孔２５１ａ，２５２ａが形成された軸形成部２５１，２５２を有している。この場合、第２可動部２３４には所定の間隔離間させて一対の軸形成部２５１が設けられており、これら軸形成部２５１間に保持部材２３５の軸形成部２５２が入り込んでいる。各軸形成部２５１，２５２の軸孔２５１ａ，２５２ａは同一軸線上に位置しており、これら軸孔２５１ａ，２５２ａに軸ピン２３６が挿入されている。当該軸ピン２３６は、保持部材２３５の軸孔２５２ａに対しては遊挿されているが、第２可動部２３４の軸孔２５１ａに対しては圧入されている。これにより、保持部材２３５において両端の結合を解除した場合、第２可動部２３４に対して保持部材２３５を回動させることができる。
【０２１８】
上記のように各構成部品２３２〜２３６が組付けられた第２通路ユニット２３１は、図１に示すような形状となっており、通路固定リング２３２が幕板ユニット１６のハウジング９１に固定されている。この場合、通路固定リング２３２は幕板ユニット１６の回動基端側に固定されているが、これに限定されることはなく、回動先端側に固定してもよい。
【０２１９】
既に説明したように、縦方向の第１回動軸によって通路固定リング２３２に対して第１可動部２３３が回動可能となっていることにより、図２３（ａ）に示すように、第２通路ユニット２３１の先端部（幕板側排出通路部１５６の球出口）の位置をパチンコ機１０の厚み方向（前後方向）に変位させることができる。また、横方向の第２回動軸により第１可動部２３３に対して第２可動部２３４が回動可能となっていることにより、図２３（ｂ）に示すように、第２通路ユニット２３１の先端部（幕板側排出通路部１５６の球出口）の位置を高さ方向及びパチンコ機１０の左右方向に変位させることができる。
【０２２０】
つまり、本実施の形態における第２通路ユニット２３１によれば、上記第１の実施の形態における第２通路ユニット１５３と同様に、幕板側排出通路部１５６の球出口の高さ位置を調整することができるだけでなく、当該球出口の前後方向の位置も調整することができる。これにより、上記第１の実施の形態よりも、幕板側排出通路部１５６の球出口の位置の自由度が高まり、球循環設備の位置に対して柔軟に対応することが可能となる。
【０２２１】
以上説明した第２通路ユニット２３１は、延長治具２５３，２５４を装着可能となっている。ここで、延長治具２５３，２５４について詳細に説明する。図２４は、延長治具２５３，２５４を説明するための説明図であり、図２４（ａ）は延長治具２５３，２５４を第２通路ユニット２３１に装着していない状態を示し、図２４（ｂ）は第１延長治具２５３を第２通路ユニット２３１に装着している状態を示し、図２４（ｃ）は第２延長治具２５４を第２通路ユニット２３１に装着している状態を示す。
【０２２２】
延長治具としては、図２４（ｂ）に示す第１延長治具２５３と、図２４（ｃ）に示す第２延長治具２５４とがある。
【０２２３】
第１延長治具２５３は、金属の線材により螺旋状に形成されており、当該螺旋の内部空間によって延長通路が構成されている。当該延長通路は任意の位置における横断面（軸線に直交する断面）の断面積は遊技球１個分よりも若干大きい程度となっている。
【０２２４】
当該第１延長治具２５３は、保持部材２３５を介して第２可動部２３４に保持されている。つまり、第１延長治具２５３を第２可動部２３４に組付ける場合、保持部材２３５の両端の結合を解除するとともに、当該保持部材２３５を第２可動部２３４に対して回動させておき、この状態で第２可動部２３４の球出口側から第１延長治具２５３の一端を挿入する。この場合、第１延長治具２５３の端部が第２可動部２３４において開口部２４９よりも上流側となる位置まで挿入する。その後、保持部材２３５を元の状態、すなわち、開口部２４９を閉塞した状態に戻すとともに、両端を結合させる。当該保持部材２３５の内周面には、図２２に示すように、内方に突出する突起２３５ａが一体形成されているため、上記のように保持部材２３５を元の状態に戻すことで、突起２３５ａが第１延長治具２５３の挿入箇所と噛み合う。これにより、第１延長治具２５３が第２可動部２３４に固定される。
【０２２５】
一方、第２延長治具２５４は、合成樹脂材料により形成された管状蛇腹２５５と、金属の線材により形成された螺旋状部材２５６と、これらを連結する連結部２５７とからなる。この場合、管状蛇腹２５５が第２延長治具２５４の上流側を構成し、螺旋状部材２５６が第２延長治具２５４の下流側を構成している。なお、連結部２５７の基本的な構成は、第２可動部２３４における保持部材２３５及びその周辺の構成と同一であるため、説明を省略する。
【０２２６】
管状蛇腹２５５、螺旋状部材２５６及び連結部２５７の内部空間は相互に連通しており、これらの内部空間によって延長通路が構成されている。当該延長通路は任意の位置における横断面（軸線に直交する断面）の断面積は遊技球１個分よりも若干大きい程度となっている。当該第２延長治具２５４は、保持部材２３５を介して第２可動部２３４に保持されている。この保持の構成は、第１延長治具２５３の保持の構成と同一であるため、説明を省略する。
【０２２７】
上記のように第１延長治具２５３又は第２延長治具２５４を設けることにより、幕板側排出通路部１５６の球出口は、第１延長治具２５３又は第２延長治具２５４における挿入側とは反対側の端部の位置まで延長されることとなる。これにより、幕板側排出通路部１５６の球出口をより低い位置とすることが可能となり、これに伴って幕板側排出通路部１５６の先端部を球循環設備の誘導部１９２上に余裕を持って到達させることが可能となる。
【０２２８】
また、各延長治具２５３，２５４には、螺旋状の部位を有しており、当該螺旋状の部位を通過する遊技球は螺旋状に沿って周回しながら、落下することとなる。これにより、遊技球が鉛直落下する場合に比べ、誘導部１９２に遊技球が衝突した際の当該誘導部１９２にかかる負荷が低減される。
【０２２９】
（第３の実施の形態）
本実施の形態では、第２通路ユニットの構成が上記第１の実施の形態と異なっている。そこで、以下に本実施の形態における第２通路ユニット２６１の構成を説明する。図２５は第２通路ユニット２６１の構成を説明するための幕板ユニット１６の斜視図、図２６は第２通路ユニット２６１の構成を説明するための幕板ユニット１６の背面図である。なお、図２５及び図２６においては、第２通路ユニット２６１以外の構成を簡略に示す。
【０２３０】
第２通路ユニット２６１は、幕板ユニット１６のハウジング９１の背面に設けられている。第２通路ユニット２６１は、ハウジング９１に一体形成された土台２６２と、当該土台２６２上に設けられた管状蛇腹２６３とを備えている。
【０２３１】
土台２６２は、幕板ユニット１６の回動基端側から回動先端側に亘って形成されており、その上面は幕板ユニット１６の回動先端側に向けて下り傾斜となっている。この土台２６２の上面に管状蛇腹２６３が配置されており、管状蛇腹２６３は土台２６２の上面に沿って幕板ユニット１６の回動基端側から回動先端側に向けて傾斜している。
【０２３２】
管状蛇腹２６３は、合成樹脂材料により形成されており、その内部空間には通路領域が形成されている。当該通路領域により、幕板側排出通路部１５６の下流側通路部１５８が構成されている。管状蛇腹２６３は、幕板ユニット１６の回動基端側に相当する端部が連結具２６４を介して第１通路ユニット１５２と連結されており、下流側通路部１５８は第１通路ユニット１５２の上流側通路部１５７と連通されている。
【０２３３】
なお、土台２６２には上面の後縁から上方へ起立した規制壁２６５が一体形成されており、当該規制壁２６５により土台２６２上から後方への管状蛇腹２６３の脱落が規制されている。また、ハウジング９１の背面には、土台２６２の上方において当該土台２６２の上面と対向するように後方へと突出した突出部２６６が一体形成されており、管状蛇腹２６３は突出部２６６と土台２６２とにより上下に挟まれることで土台２６２上での保持が良好に行われている。
【０２３４】
土台２６２には、図２６に示すように、土台２６２の上面から下面に亘って上下に貫通した挿通孔２６７が複数形成されている。これら挿通孔２６７は、管状蛇腹２６３を挿通可能な孔径となっており、上面の傾斜に沿って所定の間隔を開けて並設されている。そして、これら挿通孔２６７に対して管状蛇腹２６３を挿通可能となっている。
【０２３５】
挿通孔２６７に対して管状蛇腹２６３を挿通させることにより、幕板側排出通路部１５６の球出口の高さ位置を変更することができる。つまり、図２６の実線で示すように管状蛇腹２６３の全体が土台２６２上に載った初期状態に比べ、図２６の二点鎖線で示すように管状蛇腹２６３を挿通孔２６７に挿通させた状態とした場合、幕板側排出通路部１５６の球出口の高さ位置を低くすることができる。また、幕板ユニット１６の回動基端側の挿通孔２６７に挿通させるほど、幕板側排出通路部１５６の球出口の高さ位置を低くすることができる。なお、管状蛇腹２６３は、挿通孔２６７に挿通させた場合、その途中位置に折れ曲がり部を有することとなるが、この際、内部の下流側通路部１５８は閉塞されず、遊技球の通過が可能な状態は維持される。
【０２３６】
ここで、挿通孔２６７の入口部分は、少なくとも土台２６２の上流側の周壁部が挿通孔２６７の出口側に向けて狭口となるようにテーパ状に形成されている。これにより、挿通孔２６７へ管状蛇腹２６３を挿通させた場合に、挿通孔２６７の入口部分における管状蛇腹２６３の上方への盛り上がりが抑えられる。
【０２３７】
上記構成であっても、幕板側排出通路部１５６の球出口の高さ位置を調整することができる。特に、本構成では、回動機構などを必要としないため、構成の簡素化が図られる。
【０２３８】
なお、上記構成において、土台２６２を前後方向にスライド移動可能としてもよい。この場合、幕板側排出通路部１５６の球出口の位置を高さ方向だけでなく、前後方向にも調整可能となる。また、土台２６２を前後方向に幅広に設け、挿通孔２６７を前後方向にも並設する構成としてもよく、この場合、幕板側排出通路部１５６の球出口の位置を高さ方向だけでなく、前後方向にも調整可能となる。
【０２３９】
（第４の実施の形態）
本実施の形態では、第２通路ユニットの構成が上記第３の実施の形態と異なっている。そこで、以下に本実施の形態における第２通路ユニット２７１の構成について説明する。図２７は第２通路ユニット２７１の構成を説明するための幕板ユニット１６の斜視図である。なお、図２７においては、第２通路ユニット２７１以外の構成を簡略に示す。
【０２４０】
本実施の形態における第２通路ユニット２７１は、土台を備えておらず、管状蛇腹２７２は幕板ユニット１６のハウジング９１の背面に設けられた収納溝２７３に収納されている。収納溝２７３は後方に開放されており、幕板ユニット１６の回動基端側から回動先端側に亘って形成されている。管状蛇腹２７２は収納溝２７３の長さ寸法よりも若干短く形成されており、初期状態ではその全体が収納溝２７３に収納されている。
【０２４１】
幕板ユニット１６のハウジング９１には、収納溝２７３の下縁部に沿うようにしてガイドレール２７４が設けられている。当該ガイドレール２７４は、収納溝２７３の全体に亘って並設されているとともに、収納溝２７３よりも幕板ユニット１６の回動先端側に延長されている。ハウジング９１におけるガイドレール２７４の延長部位に対応する箇所には、保持具２７５を収容するための収容部２７６が形成されており、当該収容部２７６には基本的に保持具２７５が収容されている。
【０２４２】
保持具２７５は、ガイドレール２７４に装着可能なものであり、その装着状態ではガイドレール２７４に沿ってスライド移動させることができる。また、保持具２７５には筒孔の軸線方向が上下方向となるようにして設けられた筒部２７７を備えており、当該筒部２７７には管状蛇腹２７２を挿通可能となっている。
【０２４３】
保持具２７５に対して管状蛇腹２７２を挿通させた状態とすることで、管状蛇腹２７２の先端開口部が下方を向くこととなる。つまり、この状況では幕板側排出通路部１５６の球出口が島設備の球循環設備に向いた状態となり、遊技球の排出が可能となる。
【０２４４】
また、保持具２７５をガイドレール２７４に沿ってスライド移動させることで、管状蛇腹２７２の下方への垂れ下がり量を調整することができ、当該垂れ下がり量を調整することで幕板側排出通路部１５６の球出口の高さ位置を調整することができる。つまり、保持具２７５を幕板ユニット１６の回動基端側に持っていくほど、管状蛇腹２７２の垂れ下がり量を大きくすることができ、それに伴って幕板側排出通路部１５６の球出口の高さ位置を低くすることができる。
【０２４５】
以上のとおり、本構成であっても、幕板側排出通路部１５６の球出口の高さ位置を調整することができる。特に、本構成では、上記第３の実施の形態と同様に、回動機構などを必要としないため、構成の簡素化が図られる。また、本構成では、管状蛇腹２７２の初期状態では、当該管状蛇腹２７２を幕板ユニット１６のハウジング９１内に収容することができるため、パチンコ機１０の搬送時などにおいて管状蛇腹２７２の破損などを防止することができる。
【０２４６】
なお、ガイドレール２７４に代えて、保持具２７５を着脱自在な状態で固定するための固定部を、幕板ユニット１６の回動基端側から回動先端側に亘って複数並設してもよい。この場合、保持具２７５を固定させる固定部を変更することで、管状蛇腹２７２の垂れ下がり量を調整することができるとともに、幕板側排出通路部１５６の球出口の高さ位置を調整することができる。
【０２４７】
（他の実施の形態）
なお、上述した各実施の形態の記載内容に限定されず、例えば次のように実施してもよい。ちなみに、以下の別形態の構成を、上記各実施の形態における構成に対して、個別に適用してもよく、相互に組み合せて適用してもよい。
【０２４８】
（１）第２通路ユニットの変形例を、図２８に示す。図２８（ａ）は第２通路ユニット２８１の構成を説明するための説明図、図２８（ｂ），（ｃ）は第２通路ユニット２８１の動きを説明するための説明図である。
【０２４９】
図２８（ａ）に示す第２通路ユニット２８１は、上記第１の実施の形態における円盤１７１に対して上記第２の実施の形態における第２通路ユニット２３１を組付けたような構成を有している。つまり、本第２通路ユニット２８１は、円盤２８２と、可動通路ユニット２８３と、を備えている。円盤２８２は、パチンコ機１０の前後方向を回動軸として回動可能に設けられており、円盤２８２が回動することで可動通路ユニット２８３の全体が回動する。
【０２５０】
また、可動通路ユニット２８３は、上記第２の実施の形態における第２通路ユニット２３１と同様に、可動通路ユニット２８３の上流側を構成する第１可動部２８４と、可動通路ユニット２８３の下流側を構成する第２可動部２８５とを備えており、第１可動部２８４は上下方向を回動軸として回動可能に設けられており、第２可動部２８５は前後方向を回動軸として回動可能に設けられている。
【０２５１】
上記のとおり、本第２通路ユニット２８１は３つの回動軸を備えている。これにより、上記第１の実施の形態や上記第２の実施の形態に比べ、幕板側排出通路部１５６の球出口の位置調整の自由度が向上される。つまり、図２８（ｂ）に示すように、円盤２８２を回動させることにより、可動通路ユニット２８３を傾けることができる。そして、この状態において第１可動部２８４及び第２可動部２８５のそれぞれを回動させることができる。特に、図２８（ｃ）に示すように、円盤２８２の回動位置と、第１可動部２８４の回動位置と、第２可動部２８５の回動位置とをそれぞれ調整することにより、幕板側排出通路部１５６の球出口の高さ位置及び奥行き位置の調整範囲を広く確保することが可能となる。
【０２５２】
（２）第２通路ユニットの変形例を、図２９に示す。図２９（ａ）は第２通路ユニット２９１の構成を説明するための説明図、図２９（ｂ）は第２通路ユニット２９１の動きを説明するための説明図である。
【０２５３】
図２９（ａ）に示すように、第２通路ユニット２９１は、球状軸受け部２９２を備えているとともに、当該球状軸受け部２９２に対して回動可能に支持された通路形成ユニット２９３を備えている。通路形成ユニット２９３は、上板部２９４と、漏斗状通路部２９５とを備えており、球状軸受け部２９２における漏斗状通路部２９５の内側に入り込んだ部位の抜けを阻止するようにして上板部２９４が設置されており、当該内側に入り込んだ部位は上板部２９４と漏斗状通路部２９５とにより挟み込まれている。また、上板部２９４と漏斗状通路部２９５とは、固定具としてのボルト２９６及びナット２９７により固定されている。球状軸受け部２９２には、遊技球の通路領域が形成されているとともに、漏斗状通路部２９５にも遊技球の通路領域が形成されている。そして、これら通路領域により幕板側排出通路部１５６における少なくとも下流側通路部１５８が構成されている。
【０２５４】
上記構成では、固定具の固定状態を若干緩めた状態とすることで、図２９（ｂ）に示すように、上板部２９４と漏斗状通路部２９５との一体物を球状軸受け部２９２の球面に沿って回動させることができる。ちなみに、漏斗状通路部２９５の入口側は漏斗状に形成されており、漏斗状通路部２９５を球状軸受け部２９２の球面に沿って回動させたとしても、球状軸受け部２９２から漏斗状通路部２９５内に排出された遊技球はその漏斗状の内周面に沿って円滑に下流側へと導かれる。漏斗状通路部２９５の回動位置を調整した後は、固定具の固定状態を締めた状態とすることで、その回動位置にて漏斗状通路部２９５が保持される。本構成によれば、複数の回動軸を設定しなくても、幕板側排出通路部１５６の球出口の位置の自由度を高めることができる。
【０２５５】
（３）幕板側排出通路部１５６を通過する遊技球を減速させるための減速構造について、図３０（ａ），（ｂ）を用いて説明する。
【０２５６】
図３０（ａ）では、減速構造として、幕板側排出通路部１５６が蛇行させて形成されているため、当該幕板側排出通路部１５６を流下する遊技球は通路壁に当たりながら流下することとなる。よって、幕板側排出通路部１５６から排出される遊技球の勢いを低減することが可能となり、島設備の誘導部１９２に遊技球が排出された場合の誘導部１９２に与える衝撃を低減することが可能となる。
【０２５７】
図３０（ｂ）では、減速構造として、幕板側排出通路部１５６の底面には、遊技球の流れを阻害しない範囲内において段差部３０１が形成されている。この場合、幕板側排出通路部１５６を流下する遊技球は段差部３０１にて勢いが低減されながら流下することとなる。よって、幕板側排出通路部１５６から排出される遊技球の勢いを低減することが可能となり、島設備の誘導部１９２に遊技球が排出された場合の誘導部１９２に与える衝撃を低減することが可能となる。
【０２５８】
（４）幕板側排出通路部１５６の球入口の変形例を、図３１に示す。図３１に示すように、球入口３０２は楕円状に形成されている。この場合、球入口３０２の楕円は、遊技機本体１２が回動する場合における本体側排出通路部１４５の球出口１４６の通過軌道に沿うようにして形成されている。これにより、本体側排出通路部１４５から幕板側排出通路部１５６へ遊技球が排出されるタイミングで遊技機本体１２が回動操作された場合に、その遊技球が幕板側排出通路部１５６にて受けられ易くなる。また、遊技機本体１２又は幕板ユニット１６の組付け誤差により両者が回動方向に若干ずれた位置関係となったとしても、本体側排出通路部１４５と本体側排出通路部１４５との連通状態が好適に確保される。
【０２５９】
（５）上記各実施の形態では、幕板側排出通路部１５６の球出口１７９の高さ位置を調整可能としたが、当該高さ位置の調整を不可としながら、水平方向位置の調整のみを行える構成としてもよい。
【０２６０】
（６）第２通路ユニットにおいて、幕板側排出通路部１５６の通路方向を変更可能な関節部を当該通路方向に沿って多数並設し、通路方向の変更を柔軟に行えるよう構成してもよい。この場合、関節部を構成する部材間の摩擦により、第２通路ユニットの自重や遊技球の重みによる通路方向の変更が発生しないように、且つ手動操作による所定の外力の付与により通路方向の変更が可能となるように、各関節部を形成することが好ましい。
【０２６１】
（７）上記各実施の形態では、本体側排出通路部１４５と幕板側排出通路部１５６との連通箇所を遊技機本体１２及び幕板ユニット１６の回動基端側に設定したが、これに代えて、当該連通箇所を遊技機本体１２及び幕板ユニット１６の回動先端側に設定してもよい。当該構成であっても、幕板側排出通路部１５６の上流側通路部１５７を外枠１１の回動先端側の側枠部（右枠部１１ｃ）に沿うようにして形成するとともに、下流側通路部１５８を下枠部１１ａよりも後方に配置することで、下枠部１１ａと遊技機本体１２との間において、スピーカユニット９５等の遊技機構成装置を設置するスペースを広く確保することが可能となる。なお、上記連通箇所を外枠１１の左右方向の中央側に設定してもよい。
【０２６２】
（８）本体側排出通路部１４５の球出口１４６と幕板側排出通路部１５６の球入口１７４とを、球出口１４６をパチンコ機１０前方とした状態で、且つ両通路部１４６，１５６間の遊技球の流れを阻害しない状態で、前後に対向させてもよい。また、本体側排出通路部１４５の球出口１４６と幕板側排出通路部１５６の球入口１７４とを、両通路部１４６，１５６間の遊技球の流れを阻害しない状態で、左右に対向させてもよい。これらの構成であっても、遊技機本体１２の開放に際して両者が干渉しないようにすることで、遊技機本体１２を開放する場合に幕板ユニット１６を外枠１１側に待機させることができる。
【０２６３】
（９）上記各実施の形態では、幕板側排出通路部１５６の上流側通路部１５７はスピーカユニット９５の側方において前後方向に延びる構成としたが、これに代えて、スピーカユニット９５の上方において前後方向に延びる構成としてもよい。この場合、幕板ユニット１６においてスピーカユニット９５にて占有することができる高さ方向の領域が上記各実施の形態よりも低くなるが、左右方向の領域は広く確保することが可能となる。
【０２６４】
また、幕板ユニット１６には幕板側排出通路部１５６の下流側通路部１５８のみを搭載し、本体側排出通路部１４５の球出口１４６の位置をスピーカユニット９５よりも後方の位置に設定してもよい。この場合、幕板ユニット１６において上記各実施の形態のような上流側通路部１５７が必要なくなり、スピーカユニット９５等の遊技機構成装置を設置するスペースを広く確保することが可能となる。
【０２６５】
（１０）通路樋１７２の先端部の形状を末広がりとなるように形成してもよい。この場合、通路樋１７２から誘導部１９２上に排出される遊技球の落下位置にバラツキを生じさせることができるため、常に同一箇所に遊技球が落下する構成に比べ、誘導部１９２の破損が発生する可能性が低減される。
【０２６６】
（１１）通路樋１７２を幕板側排出通路部１５６の通路方向に伸縮可能な構成としてもよい。例えば、通路樋１７２を外側管部と内側管部との内外２重構造とし、内側管部を外側管部に対して上記通路方向にスライド移動可能とする。これにより、幕板側排出通路部１５６の球出口１７９の位置を上記通路方向に延長させることが可能となる。
【０２６７】
（１２）上記第１の実施の形態における第２通路ユニット１５３の回動手段の構成を、通路樋１７２の先端部１７８が下枠部１１ａの下端面よりも下方にある状況で幕板ユニット１６を開放させた場合に、通路樋１７２が後方から下枠部１１ａに当たることで、通路樋１７２の先端部１７８が下枠部１１ａよりも上方となる位置に通路樋１７２が自ずと回動する構成としてもよい。この場合、通路樋１７２の先端部１７８を下枠部１１ａよりも上方に移動させることを忘れた状態で幕板ユニット１６を開放させたとしても、通路樋１７２の破損の発生を抑制することができる。
【０２６８】
また、上記第３の実施の形態について、管状蛇腹２６３の先端部が下枠部１１ａの下端面よりも下方にある状況で幕板ユニット１６を開放させた場合に、管状蛇腹２６３が下枠部１１ａに当たることで、管状蛇腹２６３の先端部が下枠部１１ａよりも上方となる位置に管状蛇腹２６３が弾性変形するように、管状蛇腹２６３の柔軟性を設定してもよい。
【０２６９】
（１３）上記各実施の形態では、遊技機本体１２の回動軸と幕板ユニット１６の回動軸とが同一軸線上（同一直線上）に位置するようにしたが、これに代えて、両回動軸が同一軸線上に位置しない構成としてもよい。この場合であっても、遊技機本体１２及び幕板ユニット１６の両方を回動可能なものとすることができる。また、本構成において、幕板ユニット１６の回動基端の位置を遊技機本体１２の回動基端とは逆側に設定してもよい。
【０２７０】
（１４）上記各実施の形態において、本体側排出通路部１４５の球出口１４６部分に、遊技機本体１２を開放する場合に当該球出口１４６の遊技球の通過を阻止するシャッタ部材（シャッタ手段）を設けてもよい。このシャッタ部材の動作は電気的又は機械的のいずれであってもよい。
【０２７１】
電気的な構成とする場合、遊技機本体１２の開放を検知する開放検知センサ（開放検知手段）と、シャッタ部材を開閉動作させるアクチュエータ（駆動手段）と、開放検知センサにて開放が検知された場合にシャッタ部材が閉鎖方向に移動するようアクチュエータを駆動させる制御装置と、を備えた構成とするとよい。この場合、制御装置は主制御装置６３や払出制御装置８２としてもよい。
【０２７２】
機械的な構成とする場合、遊技機本体１２が閉鎖されている場合にシャッタ部材を開放位置に保持し、遊技機本体１２が開放されている場合にシャッタ部材を閉鎖位置に移動させるリンク機構を設けるとよい。より具体的には、遊技機本体１２が閉鎖されている場合に一部が押圧されるとともに、遊技機本体１２を開放させた場合にその押圧が解除されるようにリンク機構を設け、遊技機本体１２の閉鎖状態においてリンク機構の一部が押圧されている場合に、シャッタ部材を開放位置に保持し、その押圧が解除された場合にシャッタ部材を閉鎖位置に移動させる構成が考えられる。
【０２７３】
上記のようにシャッタ部材を設けることで、遊技機本体１２の開放中に本体側排出通路部１４５から遊技球が排出されてしまうことを阻止することが可能となる。なお、シャッタ部材による閉鎖位置は、排出球検知センサ１４７の検知位置よりも上流側としてもよい。この場合、シャッタ部材を閉鎖状態とした際に、排出球検知センサ１４７の検知位置にて遊技球が待機してしまうことが抑制される。検知位置にて遊技球が待機してしまうと、振動などによりその遊技球が揺れることで１個の遊技球の排出が複数個の遊技球の排出として検知されてしまう可能性があるが、本構成によればこのような不都合の発生が抑えられる。
【０２７４】
（１５）遊技機本体１２と幕板ユニット１６との一体化を可能とする連結手段を設け、遊技機本体１２と幕板ユニット１６との一体的な回動を可能とするとともに、当該連結手段の連結状態を解除することで、遊技機本体１２の開放に際して幕板ユニット１６が外枠１１側に待機可能な構成としてもよい。当該連結手段として具体的には、パチンコ機１０の前面側において、遊技機本体１２又は幕板ユニット１６の一方にフック等の連結部材を設けるとともに、他方に引掛け部等の連結受け部を設ける。そして、連結受け部に連結部材を受けさせる操作及び連結受け部に連結部材が受けられた状態を解除する操作を共に手動操作で行えるようにする。本構成によれば、遊技機本体１２と幕板ユニット１６とを一体的に回動させることができる。但し、本構成においては、上記各実施の形態におけるロック機構を不具備とする又はパチンコ機１０前方からロック操作及びロック解除操作を行えるようにする必要がある。
【０２７５】
（１６）上記各実施の形態では、遊技機本体１２の閉鎖状態では当該遊技機本体１２が幕板ユニット１６により下方から支持される構成としたが、これに代えて、遊技機本体１２が幕板ユニット１６により下方から支持されない構成としてもよい。具体的には、外枠１１において遊技機本体１２と幕板ユニット１６との境界部分に、外枠１１の内部空間を上下に仕切る仕切板を設け、遊技機本体１２の閉鎖状態では当該仕切板上に遊技機本体１２が載り当該仕切板にて遊技機本体１２が下方から支持される構成とする。また、仕切板にて遊技機本体１２を下方から支持している状態において、仕切板が幕板ユニット１６上に載らないようにする。但し、本構成においては、上記各実施の形態におけるロック機構を不具備とする又はパチンコ機１０前方からロック操作及びロック解除操作を行えるようにする。又は、解錠キーにより解錠操作が可能な施錠装置を幕板ユニット１６に設ける。上記構成とすることで、遊技機本体１２を外枠１１に対して閉鎖した状態において幕板ユニット１６を外枠１１に対して開放させることができる。つまり、遊技機本体１２と幕板ユニット１６とを各々独立して開閉させることができる。
【０２７６】
（１７）上記各実施の形態では、ロック部材１２１をスライド式に設けたが、これに代えて、ロック部材１２１を回動式に設けてもよい。また、上記各実施の形態では、遊技機本体１２の閉鎖状態においてロック部材１２１及びロック受け部１２２が収容される収容空間１２５は、幕板ユニット１６のハウジング９１に形成された遮蔽壁部１２６により後側が遮蔽される構成としたが、当該遮蔽壁部１２６を外枠１１の右枠部１１ｃに形成してもよく、外枠１１の下枠部１１ａに形成してもよい。また、遮蔽壁部１２６を不具備としてもよい。
【０２７７】
（１８）上記各実施の形態では、幕板ユニット１６にスピーカユニット９５を搭載したが、これに代えて、主制御装置６３、払出制御装置８２又は電源及び発射制御装置８３などといった制御装置を搭載するようにしてもよい。また、複数の遊技機構成装置（遊技機構成機器）を幕板ユニット１６に搭載するようにしてもよい。
【０２７８】
例えば、電源及び発射制御装置８３などのように日常的なメンテナンスを要しないものを幕板ユニット１６に搭載することで、遊技機本体１２におけるスペースをそれだけ確保することが可能となる。
【０２７９】
また、主制御装置６３のように不正の対象となり易いものを幕板ユニット１６に搭載することで当該主制御装置６３のセキュリティ性を向上させることが可能となる。つまり、遊技機本体１２の背面側には日常的なメンテナンスを要する機器が搭載されているため、遊技機本体１２はメンテナンス性を鑑みて設けられている。これに対して、主制御装置６３を幕板ユニット１６に搭載するとともに、当該幕板ユニット１６をメンテナンスを意図しないように形成することで、主制御装置６３のセキュリティ性を向上させることが可能となる。
【０２８０】
また、スピーカユニット９５及び音声ランプ制御装置６６のそれぞれに無線通信装置を設けるとともに、スピーカユニット９５にスピーカ１３２のアクチュエータ（スピーカ駆動装置）を設ける構成としてもよい。つまり、遊技機本体１２に搭載された電気機器と幕板ユニット１６に搭載された電気機器とを電気的に接続する電気配線を不具備とするとともに、代わりに、それら電気機器間の情報の送受を、無線通信手段を介して行うようにしてもよい。この場合、遊技機本体１２の開閉に際して遊技機本体１２と幕板ユニット１６との間に電気配線を挟み込んでしまうといった不都合の発生を抑制することができる。
【０２８１】
（１９）上記各実施の形態では、本体側排出通路部１４５及び幕板側排出通路部１５６からなる１列の排出通路部を設けたが、当該排出通路部を複数列設けてもよい。この場合、島設備１９１への遊技球の排出を上記各実施の形態よりも素早く行うことができる。なお、当該構成において、排出通路ユニット９６の構成を、各排出通路部に対して適用するようにしてもよい。
【０２８２】
（２０）外枠１１の下枠部１１ａに幕板ユニット１６を下方から支持する支持片を設けてもよい。この場合、幕板ユニット１６が下枠部１１ａよりも後方に突出している構成に対応させて、支持片も下枠部１１ａよりも後方に突出させて設けることで、幕板ユニット１６の支持を安定した状態で行うことができる。また、当該支持片を下枠部１１ａ上において縦軸回動可能に設けることで、例えば、外枠１１単体での搬送時には邪魔にならないように支持片を下枠部１１ａよりも後方に突出しない収容位置とし、幕板ユニット１６を設置する際に支持片を下枠部１１ａよりも後方に突出した突出位置に配置することができる。
【０２８３】
また、支持片を設ける構成に代えて、下枠部１１ａを幕板ユニット１６における後方への突出部位を下方から支持するように、パチンコ機１０後方へ延長させてもよい。この場合、比較的重量の大きい幕板ユニット１６の支持を良好に行うことができる。なお、下枠部１１ａにおける延長部位には、第２通路ユニット１５３や管状蛇腹２６３の先端が下枠部１１ａよりも下方へ移動することを許容する開口を設けるとよい。
【０２８４】
また、パチンコ機１０を島設備１９１に固定する場合、外枠１１が島設備１９１に対して釘により固定されることとなるが、パチンコ機１０の島設備１９１の取り外しを考慮して、釘止めは釘の頭を若干浮かせた状態で行われる。この場合に、当該釘の状態を維持するために、支持片を配置する位置は、釘と上下に重ならない位置とすることが好ましい。
【０２８５】
（２１）上記各実施の形態では、ラック部１８１及び爪部１８４のラチェット構造により、幕板側排出通路部１５６の球出口１７９を上方へ移動させる場合、通路樋１７２に所定の外力を加えることで保持解除操作を要することなく通路樋１７２の回動を可能とし、球出口１７９を下方へ移動させる場合には保持解除操作を要する構成としたが、これを逆としてもよい。
【０２８６】
（２２）上記各実施の形態において、主制御装置（制御手段）６３にて本体側排出通路部１４５を通過した遊技球の数を管理するようにしてもよい。この場合、排出球検知センサ１４７の検知結果を上記各実施の形態と同様に主制御装置６３に出力する必要があり、両者を電気配線により接続する必要がある。当該構成において、排出球検知センサ１４７が幕板側排出通路部１５６に設けられた構成を想定すると、当該電気配線は遊技機本体１２と幕板ユニット１６とを繋ぐようにして設けられることとなるため、遊技機本体１２の開閉操作に際して当該電気配線が遊技機本体１２と幕板ユニット１６との間に挟み込まれてしまうことが懸念される。これに対して、上記各実施の形態と同様に、排出球検知センサ１４７を本体側排出通路部１４５に対して設けることで、上記のような不都合を発生させることなく、主制御装置６３における排出球の管理を実現することができる。
【０２８７】
（２３）上記各実施の形態では、ストッパ部材１１１を移動させる場合、当該移動を手動操作により行う構成としたが、ソレノイドなどのアクチュエータを並設して、電気的な駆動によりストッパ部材１１１を移動させる構成としてもよい。また、上記各実施の形態では、ロック部材１２１を移動させる場合、当該移動を手動操作により行う構成としたが、ソレノイドなどのアクチュエータを並設して、電気的な駆動によりロック部材１２１を移動させる構成としてもよい。
【０２８８】
（２４）上記各実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置６３とは別に設けることで、主制御基板２０１は主制御回路２０２のみの機能を有する構成としてもよい。
【０２８９】
（２５）上記各実施の形態では、幕板ユニット１６を外枠１１に対して開閉可能に設けたが、ネジや釘などにより幕板ユニット１６を下枠部１１ａに固定することで開閉不可な状態で設けてもよく、当該幕板ユニット１６を外枠１１に対して前方にスライド移動可能に設けてもよい。
【０２９０】
また、外枠１１の下枠部１１ａ上に、当該下枠部１１ａと遊技機本体１２との間の隙間を下枠部１１ａの前縁において塞ぐように幕板部を設け、その後方に幕板ユニット１６を設置してもよい。この場合、当該幕板ユニット１６を外枠１１に対して下枠部１１ａから上方へスライド移動可能に設置し、幕板ユニット１６を下枠部１１ａから取り外す際には当該幕板ユニット１６を上記幕板部よりも上方にスライド移動させた後に取り外す構成としてもよい。なお、幕板ユニット１６を下枠部１１ａから上方へスライド移動させるための具体的な構成としては、外枠１１の左右の枠部１１ｂ，１１ｃにおける内側の板面にレールを並設するとともに、幕板ユニット１６の左右の端部にレールに係止される係止部を設ける構成が考えられる。
【０２９１】
（２６）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２９２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。当該遊技機において、「遊技を行う上で使用された遊技媒体」とは、取込装置による取込が完了した遊技球のことである。
【０２９３】
（２７）上記「課題を解決するための手段」に記載した手段等の他に、以下の手段も適用可能である。なお、以下においては、必要に応じて効果等を示しつつ説明する。ちなみに、「課題を解決するための手段」の手段１〜１３に代えて、以下の各手段を適用してもよく、また「課題を解決するための手段」の手段１乃至１３のいずれか１に対して、以下の各手段のうち全部又は一部を適用してもよい。
【０２９４】
手段Ａ１．遊技場の島設備（島設備１９１）に固定される外枠（外枠１１）と、当該外枠に開閉可能に支持された遊技機本体（遊技機本体１２）と、を備えた遊技機において、
前記外枠の下枠部（下枠部１１ａ）と前記遊技機本体との間には、遊技を進行させる上で用いられる遊技機構成装置（スピーカユニット９５）が搭載された幕板ユニット（幕板ユニット１６）が設けられており、
当該幕板ユニットは、遊技機前方に開放させることができるように前記外枠に開閉可能に支持されているとともに、前記遊技機本体が開放される場合に前記外枠側に待機可能に設けられていることを特徴とする遊技機。
【０２９５】
手段Ａ１によれば、外枠の下枠部と遊技機本体との間に、遊技機構成装置が搭載された幕板ユニットが設けられているため、外枠の下枠部と遊技機本体との間の領域が、遊技機構成装置を設置するための領域として有効活用されている。
【０２９６】
この場合に、幕板ユニットは外枠に対して遊技機前方に開放可能に設けられているため、遊技機構成装置のメンテナンスに際しては外枠に対して遊技機前方に開放させることで、遊技機前方に引き出した位置にて遊技機構成装置のメンテナンスを行うことができる。よって、当該メンテナンス作業の作業性を向上させることができる。
【０２９７】
また、遊技機本体が開放される場合に外枠側に待機可能に設けられているため、遊技機本体のメンテナンスを行う場合には、当該遊技機本体のみを開放させ、幕板ユニットは閉鎖状態に維持することができる。よって、当該メンテナンス作業の作業性を向上させることができる。
【０２９８】
以上より、遊技機構成装置を外枠の下枠部と遊技機本体との間に備えた構成において、遊技機のメンテナンス作業の作業性を向上させることができる。
【０２９９】
手段Ａ２．手段Ａ１において、前記遊技機本体及び前記幕板ユニットの回動軸は共に、縦軸であって遊技機両側部のうち同じ側の側部に設けられていることを特徴とする遊技機。
【０３００】
手段Ａ２によれば、遊技機本体及び幕板ユニットの回動軸は共に、縦軸であって遊技機両側部のうち同じ側の側部に設けられているため、遊技機本体及び外枠側排出通路部の両方をメンテナンスする場合には、開放操作させる方向が同一であるため、当該開放操作を容易に行うことができる。これにより、当該メンテナンス作業の作業性を向上させることができる。
【０３０１】
手段Ａ３．手段Ａ２において、前記遊技機本体及び前記幕板ユニットの回動軸は、同一軸線上に設けられていることを特徴とする遊技機。
【０３０２】
手段Ａ３によれば、本体側排出通路部が設けられた遊技機本体と、外枠側排出通路部が設けられた幕板ユニットの両方が回動可能（開閉可能）に設けられた構成において、遊技機本体と幕板ユニットとの相互の位置合わせを良好に行うことができる。
【０３０３】
手段Ａ４．手段Ａ３において、前記幕板ユニットの回動軸を構成する軸部材（支持金具１０４）は、前記遊技機本体の回動軸の少なくとも一部を構成していることを特徴とする遊技機。
【０３０４】
手段Ａ４によれば、遊技機本体及び幕板ユニットに共通の軸部材が用いられているため、軸部材の組付け誤差が発生しないようにすることが可能となり、遊技機本体と幕板ユニットとの相互の位置合わせを良好に行うことができる。
【０３０５】
手段Ａ５．手段Ａ１乃至Ａ４のいずれか１において、前記外枠及び前記幕板ユニットのうち一方に設けられた軸部（支持金具１０４）と、他方に設けられた軸受け部（軸受け部１０５）と、を備え、前記軸部及び前記軸受け部により前記外枠に対して前記幕板ユニットが開閉可能となっており、
さらに、前記軸受け部からの前記軸部の離脱を阻止するとともに、その阻止の解除を可能とする離脱阻止手段（ストッパ部材１１１）を備えていることを特徴とする遊技機。
【０３０６】
手段Ａ５によれば、軸受け部からの軸部の離脱が離脱阻止手段により阻止されていることにより、幕板ユニットの回動に際して当該幕板ユニットが外れてしまうといった不都合の発生が阻止される。一方、離脱阻止手段による阻止を解除することで、幕板ユニットを外枠から取り外すことができる。これにより、遊技機構成装置の交換時や、当該遊技機構成装置のメンテナンスを念入りに行う必要がある場合には、幕板ユニットを外枠から取り外すことで、当該作業を良好に行うことができる。
【０３０７】
手段Ａ６．手段Ａ５において、前記離脱阻止手段は、前記離脱の阻止の解除を行う場合に手動操作される離脱用解除操作部（操作レバー１１４）を有しており、
前記幕板ユニットを前記外枠に閉鎖した状態では前記離脱用解除操作部の操作が不可又は困難なものとなるよう規制するとともに、前記幕板ユニットを前記外枠に対して開放させた場合に規制を解除する操作規制手段（支持用金属板１０２，１０３）を備えていることを特徴とする遊技機。
【０３０８】
手段Ａ６によれば、離脱用解除操作部を手動操作することで、外枠からの幕板ユニットの離脱が阻止された状態が解除される。これにより、外枠からの幕板ユニットの離脱を簡易的に行うことができる。
【０３０９】
一方、離脱用解除操作部を手動操作する場合には、幕板ユニットを外枠に対して遊技機前方に開放させる必要がある。幕板ユニットは下枠部と遊技機本体との間に設けられているため、遊技機本体や幕板ユニットに設けられた遊技機構成装置に不正を施すべく幕板ユニットが取り外されることが想定される。この場合に、幕板ユニットを前方に開放させることなく外枠から幕板ユニットを取り外すことができる構成を想定すると、幕板ユニットを取り外す行為を目立たないようにしながら行うことができてしまう。これに対して、幕板ユニットを外枠から取り外す場合には、先ず幕板ユニットを外枠に対して遊技機前方に開放させる必要があるようにすることで、幕板ユニットを取り外す行為を目立つものとすることが可能となり、上記不正行為の発見の容易化が図られる。
【０３１０】
手段Ａ７．手段Ａ１乃至Ａ６のいずれか１において、閉鎖状態にある前記幕板ユニットの開放を阻止するとともに、その阻止の解除を可能とする開放阻止手段（ロック部材１２１、ロック受け部１２２）を備えていることを特徴とする遊技機。
【０３１１】
幕板ユニットは下枠部と遊技機本体との間に設けられているため、遊技機本体や幕板ユニットに設けられた遊技機構成装置に不正を施すべく幕板ユニットが不正に開放操作されることが想定される。これに対して、手段Ａ７によれば、外枠からの幕板ユニットの開放が開放阻止手段により阻止されているため、上記不正行為を防止することが可能となる。一方、開放阻止手段による阻止状態は解除することが可能であるため、上記手段Ａ１等の効果を消失させることはない。
【０３１２】
手段Ａ８．手段Ａ７において、前記遊技機本体を前記外枠に閉鎖した状態では前記開放阻止手段における前記開放の阻止の解除が規制されるとともに、前記遊技機本体を前記外枠に対して開放させた場合に前記開放阻止手段における前記開放の阻止の解除が可能となることを特徴とする遊技機。
【０３１３】
手段Ａ８によれば、遊技機本体を外枠に閉鎖した状態では開放阻止手段による阻止状態の解除が規制される。これにより、幕板ユニットを不正に開放操作する行為を防止することが可能となる。その一方、遊技機本体を外枠に対して開放させた場合には、開放阻止手段による阻止状態の解除を行うことが可能となるため、上記手段Ａ１等の効果を消失させることはない。
【０３１４】
手段Ａ９．手段Ａ７又はＡ８において、前記幕板ユニットは前記外枠における左右の側枠部（左枠部１１ｂ）の一方に開閉可能な状態で支持されているとともに、前記幕板ユニットの開閉先端側の端部は閉鎖状態において他方の側枠部（右枠部１１ｃ）に前方から当接するものであり、
前記開放阻止手段は、前記幕板ユニットの開閉先端側又は前記他方の側枠部のうち一方に設けられたロック部（ロック部材１２１）と、他方に設けられたロック受け部（ロック受け部１２２）と、を備えており、前記ロック受け部にて前記ロック部が受けられることにより前記幕板ユニットの開放が阻止されることを特徴とする遊技機。
【０３１５】
手段Ａ９によれば、幕板ユニットの外枠に対するロックは、開閉先端の箇所にて行われる。つまり、幕板ユニットのロック状態では、当該幕板ユニットはその左右の両端が外枠に支持されることとなり、幕板ユニットを外枠に対して緩みなく固定することができる。よって、幕板ユニットと外枠との間の隙間から遊技機の背面側へ針金などを挿入しようとしてもそれが難しくなる。
【０３１６】
手段Ａ１０．手段Ａ９において、前記ロック部を手動操作することにより、前記ロック受け部に前記ロック部が受けられたロック状態と、前記ロック受け部に前記ロック部が受けられていない非ロック状態とに切り換え可能であり、
前記遊技機本体を前記外枠に対して開放した状態では前記ロック部の操作が可能となるとともに、前記遊技機本体を前記外枠に閉鎖した状態では前記ロック部の手動操作が規制されることを特徴とする遊技機。
【０３１７】
手段Ａ１０によれば、ロック部を手動操作することにより、幕板ユニットのロック状態を解除することができるため、メンテナンス時に幕板ユニットを開放操作する場合の作業性を向上させることができる。特に、ロック部は開閉先端側に設けられているため、ロック部の手動操作を容易に行うことができる。一方、遊技機本体を外枠に閉鎖した状態ではロック部の手動操作が規制されるため、幕板ユニットを不正に開放操作する行為を防止することが可能となる。
【０３１８】
手段Ａ１１．手段Ａ１０において、前記遊技機本体を前記外枠に対して開放した状態では前記幕板ユニットの上方から前記ロック部を手動操作可能となることを特徴とする遊技機。
【０３１９】
手段Ａ１１によれば、遊技機本体を外枠に対して開放した状態では幕板ユニットの上方からロック部を手動操作することができるため、当該操作性の向上が図られる。
【０３２０】
手段Ａ１２．手段Ａ９乃至Ａ１１のいずれか１において、前記幕板ユニットの閉鎖状態において当該幕板ユニット及び前記他方の側枠部により前側と左右両側とが遮蔽された収容空間（収容空間１２５）が形成されるものであり、前記幕板ユニットの閉鎖状態において前記収容空間に収容されるように前記ロック部及び前記ロック受け部が設けられており、
さらに、前記収容空間の後側を遮蔽又は略遮蔽する遮蔽壁部（遮蔽壁部１２６）を備えており、当該遮蔽壁部により前記収容空間の開放方向が上方に規制されており、
前記遊技機本体を前記外枠に閉鎖した状態では、前記収容空間の上方に開放された開口が前記遊技機本体により非露出状態となることを特徴とする遊技機。
【０３２１】
手段Ａ１２によれば、ロック部及びロック受け部は収容空間に収容されており、当該収容空間は遮蔽壁部により後側が遮蔽又は略遮蔽されており、収容空間の開放方向が上方に規制されている。そして、この収容空間の上方に開放された開口は遊技機本体を外枠に閉鎖した状態では非露出状態となる。これにより、遊技機本体の閉鎖状態では、幕板ユニットのロック状態の解除を遊技機前方から行おうとしてもそれが困難なものとなり、さらには遊技機本体の閉鎖状態では、遊技機の背面側に針金などの不正用治具を挿入されたとしても、その収容空間内への侵入を遮蔽壁部により阻止することが可能となる。よって、幕板ユニットを不正に開放操作する行為を防止することが可能となる。
【０３２２】
なお、「非露出状態」とは、少なくとも遊技機前方から見た場合に露出されていない状態であればよい。
【０３２３】
手段Ａ１３．手段Ａ９乃至Ａ１２のいずれか１において、前記ロック受け部は、前記他方の側枠部の内面から側方に凹ませて形成された凹部であり、
前記ロック部は、前記幕板ユニットの裏面側に設けられ、前記幕板ユニットの閉鎖状態において前記凹部に出没可能に設けられたロック部材であることを特徴とする遊技機。
【０３２４】
手段Ａ１３によれば、比較的簡素な構成により、幕板ユニットのロック機能を付与することができる。
【０３２５】
手段Ａ１４．手段Ａ１乃至Ａ１３のいずれか１において、前記遊技機本体を前記外枠に閉鎖した状態では、前記遊技機本体が前記幕板ユニットにより下方から支持されることを特徴とする遊技機。
【０３２６】
手段Ａ１４によれば、遊技機本体を外枠に閉鎖した状態では、幕板ユニットにて遊技機本体の重量負荷が受けられるため、遊技機本体の閉鎖状態が良好に維持される。また、本構成においては、幕板ユニットを開放させるには、遊技機本体を開放させる必要が生じ、幕板ユニットを不正に開放操作する行為を防止することが可能となる。
【０３２７】
（２８）手段Ｂ１．遊技場の島設備（島設備１９１）に固定される外枠（外枠１１）と、当該外枠に開閉可能に支持された遊技機本体（遊技機本体１２）と、を備え、遊技を行う上で使用された遊技媒体を前記島設備に排出する遊技機において、
前記遊技を行う上で使用された遊技媒体を前記島設備に導く排出通路部を有する排出手段（排出通路ユニット９６等）を備えており、
当該排出手段は、前記排出通路部の出口部（球出口１７９）の位置を変更することを可能とする変更許容構造（第２通路ユニット１５３等）を有していることを特徴とする遊技機。
【０３２８】
手段Ｂ１によれば、変更許容構造により排出通路部の出口部の位置を変更することができるため、従来の回収容器を設けなくても、島設備への遊技媒体の排出を良好に行える位置に排出通路部の出口部の位置を調整することができる。これにより、従来の回収容器が設けられていた領域を、遊技機構成装置を設置するための領域として有効活用することができる。
【０３２９】
手段Ｂ２．遊技場の島設備（島設備１９１）に固定される外枠（外枠１１）と、当該外枠に開閉可能に支持された遊技機本体（遊技機本体１２）と、を備え、遊技を行う上で使用された遊技媒体を前記島設備に排出する遊技機において、
前記遊技を行う上で使用された遊技媒体を前記島設備に導く排出通路部を有する排出手段（排出通路ユニット９６等）を備えており、
当該排出手段は、前記排出通路部の出口部（球出口１７９）の高さ位置を、前記外枠の下枠部（下枠部１１ａ）の下端面よりも下方において変更することを可能とする変更許容構造（第２通路ユニット１５３等）を有していることを特徴とする遊技機。
【０３３０】
手段Ｂ２によれば、変更許容構造により排出通路部の出口部の高さ位置を下枠部の下端面よりも下方において変更することができるため、従来の回収容器を設けなくても、島設備における遊技媒体を循環させるべく誘導する誘導部の近くの位置にて遊技媒体の排出を行うことが可能となる。これにより、従来の回収容器が設けられていた領域を、遊技機構成装置を設置するための領域として有効活用することができる。
【０３３１】
特に、島設備に設置された誘導部の近くの位置にて遊技媒体の排出を行うようにすることで、排出通路部から排出された遊技媒体が誘導部上に到達した場合に当該誘導部上に掛かる負荷が低減される。これにより、誘導部の破損等を抑えつつ、上記優れた効果を得ることができる。
【０３３２】
手段Ｂ３．手段Ｂ２において、前記変更許容構造は、前記出口部の高さ位置を、所定の下限位置を限度として、前記下枠部の下端面よりも下方における予め定められた位置に段階的に変更することを可能とする又は任意の位置に変更することを可能とするものであることを特徴とする遊技機。
【０３３３】
手段Ｂ３によれば、排出通路部の出口部の高さ位置を、下枠部の下端面よりも下方において調整する際の自由度を高めることができるため、当該高さ位置の調整を良好に行うことができる。
【０３３４】
手段Ｂ４．手段Ｂ２又はＢ３において、前記変更許容構造は、前記出口部の高さ位置を、前記下枠部の下端面よりも上方の位置に変更することを可能とするものであり、さらに前記出口部の高さ位置を前記下枠部の下端面よりも上方とした位置にて保持する保持手段（ラック部１８１、爪部１８４）を有していることを特徴とする遊技機。
【０３３５】
手段Ｂ４によれば、排出通路部の出口部の高さ位置を、下枠部の下端面よりも上方の位置にて保持させることができるため、例えば、遊技機の搬送時などには、排出通路部が下枠部の下端面よりも下方に突出しないようにすることができる。よって、遊技機の搬送時の利便性を向上させつつ、上記優れた効果を得ることができる。
【０３３６】
手段Ｂ５．手段Ｂ４において、前記遊技機本体は両側部のうち一方を開閉基端側として前記外枠に開閉可能に支持されており、
前記変更許容構造は、前記出口部を含め前記排出通路部の少なくとも下流側を形成する通路形成部（通路樋１７２等）を手動操作することにより前記出口部の高さ位置の変更を可能とするものであり、
さらに前記通路形成部の基端部は、前記開閉基端側に設けられており、
前記出口部の高さ位置を前記下枠部の下端面よりも上方とした位置のうち所定の位置では、前記通路形成部の先端部（先端部１７８）は前記遊技機本体における開閉先端側の位置にあることを特徴とする遊技機。
【０３３７】
手段Ｂ５によれば、通路形成部を手動操作することで排出通路部の出口部の高さ位置を調整することができるため、調整作業を容易に行うことができる。また、出口部の高さ位置を下枠部の下端面よりも上方とした位置のうち所定の位置では、通路形成部の先端部が遊技機本体における開閉先端側に位置している。これにより、例えば、排出通路部の出口部の高さ位置を下枠部の下端面よりも上方とする場合には、上記開閉先端側に対して手を差し入れることで当該高さ位置の調整操作を行うことができ、開閉基端側に対して手を差し入れる場合に比べ、その調整作業を容易に行うことができる。
【０３３８】
手段Ｂ６．手段Ｂ２乃至Ｂ５のいずれか１において、前記変更許容構造は、前記出口部の高さ位置の変更を可能とするものであるとともに、前記出口部の位置を、遊技機前後方向に変更することを可能とするものであることを特徴とする遊技機。
【０３３９】
手段Ｂ６によれば、排出通路部の出口部の位置を、高さ方向だけでなく遊技機前後方向にも調整することができるため、排出通路部の出口部の位置を調整する際の自由度を高めることができるため、当該位置の調整を良好に行うことができる。
【０３４０】
手段Ｂ７．手段Ｂ２乃至Ｂ６のいずれか１において、前記排出手段は、前記出口部を含め前記排出通路部の少なくとも下流側を形成する樋状の通路形成部（通路樋１７２等）を備えており、
前記変更許容構造は、前記通路形成部の全体又は一部を回動させる回動手段（円盤１７１等）を備えており、前記通路形成部を回動させることにより前記出口部の高さ位置の変更を可能とするものであることを特徴とする遊技機。
【０３４１】
手段Ｂ７によれば、通路形成部を回動させるという比較的簡素な構造により、排出通路部の出口部の高さ位置を調整することができる。
【０３４２】
手段Ｂ８．手段Ｂ７において、前記通路形成部における前記出口部の高さ位置が前記下枠部の下端面よりも下方にある場合の回動範囲には、前記排出通路部の通路方向が下り傾斜となる範囲が含まれていることを特徴とする遊技機。
【０３４３】
手段Ｂ８によれば、排出通路部の通路方向が下り傾斜となっている場合、遊技媒体が鉛直落下する場合よりも、島設備の誘導部に到達した際の遊技媒体の排出速度を抑えることが可能となる。これにより、排出通路部から排出された遊技媒体が誘導部上に到達した場合に当該誘導部上に掛かる負荷が低減される。よって、誘導部の破損等を抑えつつ、上記優れた効果を得ることができる。
【０３４４】
手段Ｂ９．手段Ｂ７又はＢ８において、前記排出通路部は、前記島設備に設置された循環設備の誘導部（誘導部１９２）に遊技媒体を排出するものであり、前記誘導部上に排出された遊技媒体は当該誘導部の傾斜に沿って流下することで所定の領域に誘導されるものであり、
前記通路形成部における前記出口部の高さ位置が前記下枠部の下端面よりも下方にある場合の回動範囲には、前記排出通路部の通路方向が前記誘導部の下り傾斜となった側に向けて下り傾斜となる範囲が含まれていることを特徴とする遊技機。
【０３４５】
手段Ｂ９によれば、排出通路部の通路方向を島設備の誘導部の下り傾斜となった側に向けて下り傾斜となる方向に調整することで、排出通路部から排出された遊技媒体は円滑に誘導部上を流れることとなる。
【０３４６】
手段Ｂ１０．手段Ｂ７乃至Ｂ９のいずれか１において、前記通路形成部の先端部は、前記排出通路部の通路方向が下り傾斜となった場合に底部及び天井部となる各通路壁に１の遊技媒体よりも大きな開口（開口部１９４ａ，１９５ａ）を有するアーチ状に形成されていることを特徴とする遊技機。
【０３４７】
排出通路部の通路方向が下り傾斜となった状態において通路形成部の先端部が誘導部上に載った状態となることで、排出通路部から排出された遊技媒体が誘導部上に到達した場合に当該誘導部上に掛かる負荷を抑えることが可能となる。但し、通路形成部の先端部を誘導部上に載せると、誘導部上において通路形成部の先端部よりも上流側から流れてくる遊技媒体の流れを当該先端部にて阻害してしまうことが懸念される。これに対して、手段Ｂ１０によれば、通路形成部の先端部がアーチ状に形成されていることにより、通路形成部の先端部を誘導部上に載せたとしても、誘導部上において通路形成部の先端部よりも上流側から流れてくる遊技媒体は通路形成部のアーチ状の先端部を通過することが可能である。よって、誘導部上の遊技媒体の流れを阻害しないようにしつつ、通路形成部の先端部を誘導部上に載せることが可能となる。
【０３４８】
手段Ｂ１１．手段Ｂ７乃至Ｂ１０のいずれか１において、前記回動手段は、前後方向を回動軸として回動可能に支持された回動部材（円盤１７１等）を備えており、
前記通路形成部は、前記回動部材に片持ち支持されており、前記回動部材の回動に伴って一体的に回動するものであることを特徴とする遊技機。
【０３４９】
手段Ｂ１１によれば、回動部材を設けるとともに、当該回動部材に通路形成部を片持ち支持させるという比較的簡素な構造により、排出通路部の出口部の高さ位置を調整することができる。
【０３５０】
手段Ｂ１２．手段Ｂ１１において、前記遊技機本体は両側部のうち一方を開閉基端側として前記外枠に開閉可能に支持されており、
前記回動部材は、前記通路形成部を手動操作することによる当該通路形成部の回動操作を可能とするよう形成されており、
さらに前記回動部材は、前記開閉基端側に設けられており、
前記通路形成部における前記出口部の高さ位置が前記下枠部の下端面よりも上方にある場合の回動範囲には、前記通路形成部の前記片持ち支持された側の基端部と先端部とが遊技機左右方向に最も離間された状態となる特定回動位置が含まれており、
当該特定回動位置において、前記通路形成部の先端部は、前記遊技機本体における開閉先端側の位置にあることを特徴とする遊技機。
【０３５１】
手段Ｂ１２によれば、通路形成部を手動操作することで通路形成部を回動操作することができ、これにより排出通路部の出口部の高さ位置を調整することができるため、調整作業を容易に行うことができる。また、出口部の高さ位置を下枠部の下端面よりも上方とした場合の特定回動位置では、通路形成部の先端部が遊技機本体における開閉先端側に位置している。これにより、例えば、排出通路部の出口部の高さ位置を下枠部の下端面よりも上方とする場合には、上記開閉先端側に対して手を差し入れることで当該高さ位置の調整操作を行うことができ、開閉基端側に対して手を差し入れる場合に比べ、その調整作業を容易に行うことができる。
【０３５２】
手段Ｂ１３．手段Ｂ７乃至Ｂ１０のいずれか１において、前記回動手段は、前記通路形成部の基端側に設けられ、縦方向を回動軸とする第１回動部（第１可動部２３３）と、前記通路形成部の途中位置であって前記第１回動部よりも先端側に設けられ、横方向を回動軸とする第２回動部（第２可動部２３４）と、を備えており、
前記第１回動部を回動軸として前記通路形成部を回動させることにより前記出口部の遊技機前後方向の位置を変更することが可能であるとともに、前記第２回動部を回動軸として前記通路形成部を回動させることにより前記出口部の高さ位置を変更することが可能であることを特徴とする遊技機。
【０３５３】
手段Ｂ１３によれば、排出通路部の出口部の位置を、高さ方向だけでなく遊技機前後方向にも調整することができるため、排出通路部の出口部の位置を調整する際の自由度を高めることができるため、当該位置の調整を良好に行うことができる。また、回動部を複数設けるという比較的簡素な構造により、上記優れた効果を得ることができる。
【０３５４】
手段Ｂ１４．手段Ｂ７乃至Ｂ１３のいずれか１において、前記回動手段は、前記通路形成部の回動を阻止し、前記出口部の高さ位置を保持するとともに、保持解除操作に応じて保持状態を解除する保持手段（ラック部１８１、爪部１８４）を備えており、
当該保持手段は、前記出口部の高さ位置を下方へ移動させる場合又は上方へ移動させる場合のうち一方の場合には、前記保持解除操作を行わなくても前記通路形成部にその回動方向に所定の外力を加えることで前記通路形成部が回動するとともに、他方の場合には、前記通路形成部にその回動方向に前記所定の外力を加えても前記通路形成部が回動することなく前記保持解除操作を要するように形成されていることを特徴とする遊技機。
【０３５５】
手段Ｂ１４によれば、保持手段が設けられていることにより、通路形成部の回動位置を所望の位置にて保持させることができる。また、少なくとも保持解除操作を行った場合には、保持された状態が解除され、通路形成部の回動位置を変更することができる。
【０３５６】
この場合に、出口部の高さ位置を下方へ移動させる場合又は上方へ移動させる場合の一方の場合には、保持解除操作を行わなくても、通路形成部にその回動方向に所定の外力を加えることで回動させることができるため、その際の作業性が向上する。その一方、所定の外力が加わったとしても回動しない側への回動方向については、保持解除操作を要するため、その通路形成部の回動位置を強固に保持することができる。
【０３５７】
手段Ｂ１５．手段Ｂ７乃至Ｂ１３のいずれか１において、前記回動手段は、前記通路形成部の回動を阻止し、前記出口部の高さ位置を保持するとともに、保持解除操作に応じて保持状態を解除する保持手段（ラック部１８１、爪部１８４）を備えており、
当該保持手段は、前記出口部の高さ位置を上方へ移動させる場合には、前記保持解除操作を行わなくても前記通路形成部に対して前記出口部の高さ位置を上方へ移動させる回動方向に所定の外力を加えることで前記通路形成部が回動するとともに、前記出口部の高さ位置を下方へ移動させる場合には、前記通路形成部に前記所定の外力を加えても前記通路形成部が回動することなく前記保持解除操作を要するように形成されていることを特徴とする遊技機。
【０３５８】
手段Ｂ１５によれば、保持手段が設けられていることにより、通路形成部の回動位置を所望の位置にて保持させることができる。また、少なくとも保持解除操作を行った場合には、保持された状態が解除され、通路形成部の回動位置を変更することができる。
【０３５９】
この場合に、出口部の高さ位置を上方へ移動させる場合には、保持解除操作を行わなくても、通路形成部に所定の外力を加えることで回動させることができるため、その際の作業性が向上する。特に、出口部の高さ位置を上方へ移動させる場合とは、遊技機のメンテナンスを行う場合などであり、上記構成とすることで、当該メンテナンスの作業性を向上させることができる。
【０３６０】
その一方、出口部の高さ位置を下方へ移動させる場合には、通路形成部に所定の外力を加えたとしても回動することなく、保持解除操作を要する。通路形成部には自重により、出口部の高さ位置を下方へ移動させる方向に力が加わっているため、出口部の高さ位置を所望の位置に調整した状態を良好に維持することができるようにするためには、出口部の高さ位置を下方へ移動させる方向の力に対向する大きな保持力が必要となる。この場合に、当該方向への回動に際しては保持解除操作を要するようにしたことにより、出口部の高さ位置を所望の位置に調整した状態を良好に維持することができる。
【０３６１】
手段Ｂ１６．手段Ｂ１５において、前記通路形成部は、前記保持解除操作を行った場合、前記通路形成部は自重により前記出口部の高さ位置を下方へ移動させる方向に回動するものであることを特徴とする遊技機。
【０３６２】
手段Ｂ１６によれば、手段Ｂ１５の構成を備え、出口部の高さ位置を下方へ移動させる場合には保持解除操作を要するようにした構成において、調整作業として出口部の高さ位置を下方へ移動させる場合には保持解除操作を行うことで、通路形成部は自重によって自ずと回動する。これにより、出口部の高さ位置を下方へ移動させる場合の作業性を向上させることができる。
【０３６３】
手段Ｂ１７．手段Ｂ１４乃至Ｂ１６のいずれか１において、前記通路形成部は、前記外枠に設けられており、前記遊技機本体を前記外枠から開放する場合に前記外枠に残るものであり、
前記保持手段における前記保持解除操作が行われる操作部（操作レバー１８３）は、前記遊技機本体を前記外枠に対して開放した場合に前記通路形成部の上方から操作可能に設けられていることを特徴とする遊技機。
【０３６４】
手段Ｂ１７によれば、保持解除操作を行う場合には、通路形成部の上方から操作部を操作すればよいため、上方から操作部を操作できない場合に比べ、当該操作の操作性を向上させることができる。
【０３６５】
手段Ｂ１８．手段Ｂ１乃至Ｂ６のいずれか１において、前記変更許容構造は、内側空間に前記排出通路部が形成され、当該排出通路部の通路方向を遊技媒体の通過を可能とした状態で変更可能な柔軟性を有する通路形成部（管状蛇腹２６３）を備えていることを特徴とする遊技機。
【０３６６】
手段Ｂ１８によれば、通路形成部を所望の方向に曲げることで、排出通路部の出口部の位置を変更することができる。これにより、出口部の位置を調整する際の自由度を高めることが可能となる。
【０３６７】
なお、通路形成部の出口部の位置を遊技機の前後方向に調整可能な構成としてもよく、それに加え又は代えて、通路形成部の出口部の位置を遊技機の左右方向に調整可能な構成としてもよい。
【０３６８】
手段Ｂ１９．手段Ｂ１８において、前記変更許容構造は、前記通路形成部を所定方向に傾斜させた状態で下方から支持する支持面（土台２６２の上面）と、前記通路形成部の途中位置から先端側が下方に曲がり前記支持面から垂れ下がった状態を保持する曲げ状態保持手段（挿通孔２６７）と、を備えており、
前記通路形成部の前記支持面からの垂れ下がり量を異ならせることにより、前記出口部の高さ位置を変更することが可能であるとともに、
前記曲げ状態保持手段は、前記垂れ下がった状態の保持を、前記垂れ下がり量が異なる予め定められた複数の位置にて行うことが可能なように又は前記垂れ下がり量が異なる任意の位置にて行うことが可能なように形成されていることを特徴とする遊技機。
【０３６９】
手段Ｂ１９によれば、通路形成部の垂れ下がり量を調整するという比較的簡単な操作により、排出通路部の高さ位置の調整を行うことができる。
【０３７０】
手段Ｂ２０．手段Ｂ１乃至Ｂ１９のいずれか１において、前記排出手段は、前記出口部を含め前記排出通路部の少なくとも下流側を形成する通路形成部（第２可動部２３４）を備えており、
当該通路形成部は、前記排出通路部を延長可能な延長通路部材（第１延長治具２５３、第２延長治具２５４）を取り付けるための取付部（保持部材２３５）を備えていることを特徴とする遊技機。
【０３７１】
手段Ｂ２０によれば、通路形成部に延長通路部材を取り付けることで、出口部の位置を排出通路部の通路方向に延長させることができる。これにより、出口部の位置を調整する際の自由度を高めることが可能となる。
【０３７２】
手段Ｂ２１．手段Ｂ１乃至Ｂ２０のいずれか１において、前記排出通路部は、通過する遊技媒体の通過速度を減速させる減速構造（段差部３０１等）を有していることを特徴とする遊技機。
【０３７３】
手段Ｂ２１によれば、排出通路部を通過する遊技媒体を減速させることができるため、排出通路部から排出された遊技媒体が誘導部上に到達した場合に当該誘導部上に掛かる負荷が低減される。これにより、誘導部の破損等を抑えつつ、上記優れた効果を得ることができる。
【０３７４】
手段Ｂ２２．手段Ｂ１乃至Ｂ２１のいずれか１において、前記遊技機本体と前記下枠部との間には、遊技を進行させる上で用いられる遊技機構成装置（スピーカユニット９５）が搭載されており、
前記排出通路部は、前記遊技機構成装置に対して上下又は左右に並んだ位置から当該遊技機構成装置の後方まで延びる上流側通路部（上流側通路部１５７）と、前記遊技機構成装置の後方に設けられ、前記上流側通路部と連通されているとともに前記出口部を有する下流側通路部（下流側通路部１５８）と、を備えていることを特徴とする遊技機。
【０３７５】
手段Ｂ２２によれば、排出通路部が遊技機構成装置を迂回するようにして形成されているため、遊技機構成装置を設置するための領域を大きく確保することが可能となる。
【符号の説明】
【０３７６】
１０…パチンコ機、１１…外枠、１１ａ…下枠部、１２…遊技機本体、１６…幕板ユニット、９５…遊技機構成装置としてのスピーカユニット、９６…排出通路ユニット、１０２…支持用金属板、１０３…支持用金属板、１０４…支持金具、１０５…軸受け部、１１１…離脱阻止手段としてのストッパ部材、１１４…操作レバー、１２１…開放阻止手段を構成するロック部材、１２２…開放阻止手段を構成するロック受け部、１２５…収容空間、１２６…遮蔽壁部、１４５…本体側排出通路部、１４６…本体側出口部としての球出口、１４７…排出球検知センサ、１５３…第２通路ユニット、１５６…幕板側排出通路部、１５７…上流側通路部、１５８…下流側通路部、１７１…円盤、１７２…通路樋、１７４…外枠側入口部としての球入口、１７８…先端部、１７９…球出口、１８１…保持手段を構成するラック部、１８４…保持手段を構成する爪部、１９１…島設備、１９４ａ…開口部、１９５ａ…開口部、２３３…第１可動部、２３４…第２可動部、２３５…保持部材、２５３…第１延長治具、２５４…第２延長治具、２６２…土台、２６３…管状蛇腹、２６７…挿通孔、３０１…段差部。
【図１】
0005692206.tif 000002
【図２】
0005692206.tif 000003
【図３】
0005692206.tif 000004
【図４】
0005692206.tif 000005
【図５】
0005692206.tif 000006
【図６】
0005692206.tif 000007
【図７】
0005692206.tif 000008
【図８】
0005692206.tif 000009
【図９】
0005692206.tif 000010
【図１０】
0005692206.tif 000011
【図１１】
0005692206.tif 000012
【図１２】
0005692206.tif 000013
【図１３】
0005692206.tif 000014
【図１４】
0005692206.tif 000015
【図１５】
0005692206.tif 000016
【図１６】
0005692206.tif 000017
【図１７】
0005692206.tif 000018
【図１８】
0005692206.tif 000019
【図１９】
0005692206.tif 000020
【図２０】
0005692206.tif 000021
【図２１】
0005692206.tif 000022
【図２２】
0005692206.tif 000023
【図２３】
0005692206.tif 000024
【図２４】
0005692206.tif 000025
【図２５】
0005692206.tif 000026
【図２６】
0005692206.tif 000027
【図２７】
0005692206.tif 000028
【図２８】
0005692206.tif 000029
【図２９】
0005692206.tif 000030
【図３０】
0005692206.tif 000031
【図３１】
0005692206.tif 000032